(57)【特許請求の範囲】
【請求項１】
ブック原稿を読み取って読み取り頁の画像を形成し、ブック原稿の頁をめくるブック原稿の読み取り装置において、見開きブック原稿の画像形成開始頁として左頁と右頁のいずれかを指示する頁入力手段と、見開きブック原稿を読み取って前記頁入力手段により指示された画像形成開始頁から読み取り画像を形成する画像形成手段とを備えたことを特徴とするブック原稿の読み取り装置。
【請求項２】
ブック原稿を読み取って読み取り頁の画像を形成し、ブック原稿の頁をめくるブック原稿画像形成装置において、見開きブック原稿の画像形成開始頁として左頁と右頁のいずれかを指示する頁入力手段と、見開きブック原稿を読み取って前記頁入力手段により指示された画像形成開始頁から読み取り画像を形成する画像形成手段とを備えたことを特徴とするブック原稿画像形成装置。
【発明の詳細な説明】
【０００１】
【産業上の利用分野】
本発明は、ブック原稿のページめくり機能を有する複写機及びファクシミリ等のブック原稿の読み取り装置に関する。
【０００２】
【従来の技術】
従来、複写装置は、原稿を複写する複写動作をスタートキー操作により開始し、複写枚数を１枚づつカウントしてそのカウント値が設定値になるまで複写動作を連続的に行っている。また、複写装置は、原稿台上に並べてセットされた２枚の原稿に対して１度のスタートキー操作により２回の走査で２枚の原稿を読み取り、その読み取り画像を２枚の転写紙に各々分けて複写する頁連写モードを有するものがあり、原稿の見開き両頁を１度のスタートキー操作により複写することができる。また、本原稿の頁をめくる頁めくり装置は提案されているが、自動的に本原稿の頁をめくって見開き頁の画像を読み取ってその読み取り画像を転写紙に形成するものはない。さらに、複写装置には、本原稿の複写すべき頁を指定してその頁の画像を読み取ってその読み取り画像を転写紙に形成するものはない。また、原稿読み取り装置は、原稿台にセットされたシート原稿を１枚づつ自動的に読み取り、原稿台にセットされた本原稿についてはその見開き両頁を一度に読み取るが、自動的に本原稿の頁をめくってその見開き頁の画像を読み取ることはできない。
【０００３】
【発明が解決しようとする課題】
一般に、発行されている本，書籍類は、両面印刷物を綴じたものであり、その両面印刷物数が多い。また、オフィスでは一般的なステープラー止めやファイル等の両面原稿を綴じたものがある。これらの綴じ物は、頁の構成により１頁が見開き両頁のうちの左頁より始まっている場合と、右頁より始まっている場合がある。また、綴じ物を原稿としてその一部を複写する場合には、綴じ物の章の配置により所望の複写開始頁が右頁あるいは左頁となる場合が存在する。
【０００４】
しかし、上記複写装置では、原稿台上に並べてセットされた２枚の原稿に対して１度のスタートキー操作により２枚の原稿を走査して読み取り、その読み取り画像を２枚の転写紙に各々分けて複写する頁連写モードを有するが、本原稿の頁の配置や章の配置によっては所望の複写開始頁から所望の複写終了頁までの所望複写頁だけを複写することができず、無駄な頁の複写を行わなければならない。また、上記原稿読み取り装置では、自動的に本原稿の頁をめくってその見開き頁の画像を読み取ることはできないので、自動的に所望の読み取り開始頁から所望の読み取り終了頁までの所望読み取り頁だけを読み取ることができない。
【０００５】
本発明は、上記欠点を改善し、本原稿の無駄な頁画像形成を行わずに所望頁の画像形成を行うことができる本原稿画像形成装置、及び自動的に所望頁の読み取りを行うことができる本原稿読み取り装置を提供することを目的とする。
【０００６】
【課題を解決するための手段】
本発明は、上述の課題を解決するために、ブック原稿を読み取って読み取り頁の画像を形成し、ブック原稿の頁をめくるブック原稿の読み取り装置において、見開きブック原稿の画像形成開始頁として左頁と右頁のいずれかを指示する頁入力手段と、見開きブック原稿を読み取って前記頁入力手段により指示された画像形成開始頁から読み取り画像を形成する画像形成手段とを備えた構成とする。
さらに、本発明は、上述の課題を解決するために、ブック原稿を読み取って読み取り頁の画像を形成し、ブック原稿の頁をめくるブック原稿画像形成装置において、見開きブック原稿の画像形成開始頁として左頁と右頁のいずれかを指示する頁入力手段と、見開きブック原稿を読み取って前記頁入力手段により指示された画像形成開始頁から読み取り画像を形成する画像形成手段とを備えた構成とする。
【０００７】
【作用】
本発明によれば、見開きブック原稿の画像形成開始頁として左頁と右頁のいずれかが頁入力手段により指示され、画像形成手段が見開きブック原稿を読み取って頁入力手段により指示された画像形成開始頁から読み取り画像を形成する。
【０００８】
【実施例】
以下、本発明の実施例を図に基づいて詳細に説明する。
但し、本明細書の記述から明らかに想起し得る範囲の構成・作用、及び本発明の前記並びにその他の目的と新規な特徴については、説明の煩雑化を避ける上から、その図示並びに開示を省略、もしくは簡略化する。
【０００９】
先ず、第１図を参照しながら．本発明による原稿読み取り装置におけるめくり搬送ベルトの周辺の構成について説明する。
第１図は、本発明を実施した、マルチ・ファンクション・ドキュメント・スキャナＡ（以下、”ＭＦＤＳ”とする）の概略断面図である。
第１図において、めくり搬送ベルト８は、駆動ローラ１２、テンシヨンローラ１３、第１ベルト支持ローラ９７、第２ベルト支持ローラ９８、第３ベルト支持ローラ９９、第４ベルト支持ローラ１００、及び、第５ベルト支持ローラ１０１により支持されている。
このとき、めくり搬送ベルト８は、ページめくり読取ユニットｌのめくりローラ２、第１バイアスローラ３、第１ローラ４、第２ローラ５、及び、押えローラ６を介して、このページめくり読取ユニット１を取り巻くように支持されている。
テンションローラ１３は、ベルトテンションスプリング１１２によって、第１図において左方向に引っ張られ、めくり搬送ベルト８に適度なテンションを与え、ブック原稿９２の原稿面を押圧している。
ベルトテンションセンサ３２は、テンションローラ１３の移動量からめくり搬送ベルト８のテンションを検出している。
【００１０】
一方、ＭＦＤＳの搬送部１９の上部には、シート原稿２００をセットするためのシート原稿トレイ９４と、シート原稿２００のサイド方向のセット位置を調整するシート原稿サイドガイド９３と、排紙されたシート原稿２００が載置される排紙トレイ２３とが、それぞれ配設されている。
また、ＭＦＤＳの給紙部２１（第１図の右上方）には、シート原稿２００のセットの有無を検知するシート原高センサ２５と、シート原稿２００を一枚ずつ分離給紙する給紙ローラ９６及び給紙分離パッド９５と、シート原稿２００の給紙タイミングをはかる給紙センサ２６とが配設されており、さらに、シート原稿２００の搬送路を構成する第１搬送ガイド１０８及び第２搬送ガイド１０９が配置されている。
さらに、ベルト支持ローラ９７の僅かに左側のめくり搬送ベルト８の外側には、シ−ト原稿２００の搬送時の帯電用としての第２バイアスロ一ラ１１があり、その内側には、支持用のバイアス対向ローラ１０２がある。
【００１１】
また、第２搬送ガイド１０９の下端には、搬送ガイド爪１１５があり、シート原稿２００の搬送を補助している。
さらに、第４ベルト支持ローラ１００には第６対向ローラ１０５、第５ベルト支持ローラ１０１には第７対向ローラ１０６、駆動ローラ１２には排紙ローラ１０７が、めくり搬送ベルト８を挟んでめくり搬送ベルト８の外側にそれぞれ配設されている。
また、第３ベルト支持ローラ９９から駆動ローラ１２までのめくり搬送ベルト８の外側には、シート原稿２００の搬送路を構成する第３搬送ガイド１１０が配設されている。
ここで、第２ベルト支持ローラ９８から第３ベルト支持ローラ９９までの間は、原稿台１８の上面の原稿載置面１１６がシート原稿２００の搬送路として使用される。
この原稿載置面１１６は、プレスキャンしてブック原稿９２のサイズを検出する際に、このブック原稿９２の先端の検知をし易くするために、黒色に形成されている。
一方、第１図において左上方のＭＦＤＳの排紙部２２には、排紙ローラ１０７の手前に排紙センサ２８があって、シート原稿２００の排紙時におけるジャムの有無を検知している。
また、この排紙部２２の排紙口１１７の下側には、排紙分離爪１１１が形成されており、シート原稿２００のスムーズな排紙を補助している。
【００１２】
ＭＦＤＳの原稿台１８には、第２ベルト支持ロ一ラ９８の下側に第４対向ローラ１０３が、第３ベルト支持ローラ９９の下側に第５対向ローラ１０４がそれそれ配設され、ページめくり読取ユニット１がホームポジション位置１−Ａにあるときのめくりローラ２の下側に第１対向ローラ１５が、押えローラ６の下側に第２対向ローラ１６が、第１読み取りセンサユニット９の下側に第２読み取りセンサユニット１４が、それぞれ配設されている。
また、ページめくり読取ユニット１がエンドポジション位置（シート原稿２００の読み込みモード時におけるページめくり読取ユニット１の停止位置）１−Ｃにある時の、第１読み取りセンサユニット９の下側には第３対向ローラ１７が、めくりローラ２の下側にはブックサイズ上限センサ３３が、それぞれ配置されている。
さらに、原稿載置面１１６の中央には、ブック原稿９２の載置位置を決めるための中央基準位置決め部２４が形成されている。
この中央基準位置決め部２４には、ブック原稿９２が載置された状態でブック原稿９２の背に当接する中央位置決め板１１３と、この中央位置決め板１１３に対して上昇する習性を与えるための中央位置決めスプリング１１４と、ブック原稿９２の載置状態における中央位置決め板１１３の下方への変位量を検出するブック原稿センサ２７とが、それぞれ配設されている。
このように構成された原稿台１８の下部には、ＭＦＤＳを略水平に支持するためのスタンド９１が設けられている。
一方、搬送部１９の原稿台１８と接する部位の両脇には、搬送部ロックセンサ３１を内蔵した搬送部ロック装置１４０が配設されており、搬送部１９と原稿台１８との開閉状態を検知している。
以上述べたように、このＭＦＤＳは、シート原稿２００の自動原稿給送・読取機能と、ブック原稿の読み取り及び自動ページめくり機能との両機能を合わせ持った原稿読み取り装置として構成される。
【００１３】
次に、第２図乃至第４図を参照しながら、この原稿読み取り装置における駆動系の構成について説明する。
第２図は、ＭＦＤＳの駆動系の概略横断面図である。
第３図は、ＭＦＤＳの駆動系の概略平面図である。
第４図は、ページめくり読取ユニット１の端部の斜視図である。
第２図乃至第４図において、ページめくり読取ユニット１は、めくりユニット駆動板４９のスキャニンクパイプ５１が、ＭＦＤＳの手前側と奥側とに平行に横架された一対のスキャニングロッド５０に嵌挿されることによって、ＭＦＤＳの左右方向に沿って摺動自在に支持されている。
各スキャニングロッド５０は、ＭＦＤＳの搬送部右側板５８と、搬送部左側板５９とに、それぞれの端部が固定されている。
【００１４】
また、第３図に示すように、搬送部前側板５６と搬送部後側板５７との間には、第１シャフト６４と第２シャフト６５とが、それぞれ回転白在に軸支されている。
これらの第１シャフト６４と第２シャフト６５には、駆動プーリ６２と従動プーリ６３とが、その手前側と奥側とに、それぞれ１つずつ固定されていて、これらの駆動プーリ６２と従動プーリ６３を一対として、２本のめくりユニット駆動ベルト５２が、それぞれ懸架がされている。
このページめくり読取ユニット１は、第３図及び第４図に示すように、めくりユニット駆動板４９の駆動ベルト固定部５３で、駆動ベルト固定板５４と駆動ベルト固定ビス５５によって、めくりユニット駆動ベルト５２と固定されており、このめくりユニット駆動ベルト５２の回動により駆動される。
また、第１シャフト６４には、搬送部後側板５７を挟んで、その興側に第１ギア６６が固定されており、この第１ギア６６がめくりユニット駆動モータ６０の出力軸に固定された第２ギア６７と噛み合って、めくりユニット駆動モータ６０の回転が伝達され、駆動プーリ６２、めくりユニット駆動ベルト５２、従動プーリ６３、及び、ぺージめくり読取ユニット１が、それぞれ駆動される。
【００１５】
一方、第３図に示すように、第４ベルト支持ロラ１００と同軸固定された第３シャフト１２１、駆動ローラ１２と同軸固定された第４シャフト１２２、給紙ローラ９６と同軸固定された第７シャフト１２５、第１ベルト支持ローラ９７と同軸固定された第８シャフト１２６は、搬送部前側板５６と搬送部後側板５７との間にそれぞれ回転自在に軸支されている。
第４シャフト１２２には、搬送部後側板５７を挟んで、その奥側に第３ギア６８が固定されている。
また、第４ギア６９と第５ギア７３とは、同軸固定され回転自在に軸支されている。
さらに、めくり搬送ベルト駆動モータ６１の出力軸に固定された第６ギア７４は第５ギア７３と、また、第４ギア６９は第３ギア６８と、それぞれ噛み合っていて、めくり搬送ベルト駆動モータ６１の回転を順次伝達し、駆動ローラ１２を駆動してめくり搬送ベルト８を回動させる。
【００１６】
また、第２図及び第３図に示すように、第８シャフト１２６には、搬送部後側板５７の奥側に第２給紙プーリ１３０が、第７シャフト１２５には、搬送部後側板５７の奥側に給紙クラッチ１２８を介して第１給紙ブーリ１２９が、それぞれ固定されており、第２給紙プーリ１３０と第１給紙プーリ１２９とには、給紙駆動ベルト１２７が懸架されている。
これにより、めくり搬送ベルト８の回動によって回転された第１ベルト支持ローラ９７の回転は、第８シャフト１２６、第２給紙ブーリ１３０、給紙駆動ベルト１２７、第１給紙プーリ１２９に順次伝達され、給紙クラッチ１２８の入力側に伝達される。
また、メイン制御ボード３１０（第５図参照）、から送られる制御信号によって、給紙クラッチ１２８が作動し、第７シャフト１２５及び給紙ローラ９６が駆動される。
一方、第１図に示した、第１対向ローラ１５、第２対向ローラ１６、及び、第３対向ローラ１７は、図示しない駆動伝達機構によって、めくり搬送ベルト８と同期し、且つ、同じ周速でそれぞれ駆動される。
【００１７】
次に、第１図乃至第４図を参照しながら、ページめくり読取ユニッ１の構成について説明する。
第１図乃至第４図において、第１めくりユニット側板４０と、第２めくりユニット側板４１は、めくり搬送ベルト８を挟む位置に互いに対向して配置されており、これらの第１めくりユニット側板４０と、第２めくりユニット側板４１との間には、めくりローラ２、第１バイアスローラ３、第１ローラ４、第２ローラ５、及び、押えローラ６がそれぞれ回転自在に支持されている。
これらの各ローラの支持構造は、何れも同じに構成されている。
そこで、第１ローラ４を例に取って説明すると、この第１ローラ４は、第５図に示すように、第１めくりユニット側板４０と第２めくりユニット側板４１に両端部が固定された第５シャフト１２３が、中空軸からなるこの第１ローラ４の中空部に挿通され、この第５シャフト１２３に配設された一対の軸受１３１によって、この第１ローラ４の両端部が支持されることにより、第５シャフト１２３に対して回転自在に支持されている。
ここで、これらのめくりローラ２、第１バイアスローラ３、第１ローラ４、第２ローラ５、及び、押えローラ６は、自らは回転せず、めくり搬送ベルト８の回動によってのみ回転される。
また、第１めくりユニット側板４０と第２めくりユニット側板４１の外側には、第１図に示す第１読み取りセンサユニット９の長手方向の延長位置に、回動支持ロツド４２（面側とも同じに構成されている）がそれぞれ回転自在に支持されている。
そこで、この回動支持ロッド４２の片側のみの支持構造を説明すると、この回動支持ロッド４２は、第４図に示すように、摺動パイプ４３、第２スプリング止め爪４８、上限検知部７６と一体に構成されている。
第４図において、傾き修正スプリング４４は、ねじりコイルスプリングで形成されており、その一端が回動支持ロッド４２に、他瑞が第１めくりユニット側板４０に、それぞれ固定されている。
この傾き修正スプリング４４は、その自然状態、すなわち、傾き修正スプリング４４に外力が加わっていない状態において、摺動パイプ４３の軸心方向（第４図の上下方向）と、第１読み取りセンサユニット９の読取光学系の光軸方向（第１読み取りセンサユニット９の第１めくりユニット側板４０及び第２めくりユユット側板４１に対する移動方向（詳しくは後述））とを一致させるように構成されている。
これにより、第１めくりユニット側板４０及び第２めくりユニット側板４１が、各回動支持ロッド４２を中心としてそれぞれ一体的に回転した際、この傾き修正スプリング４４によって、これらの第１めくりユニット側板４０及び第２めくりユニット側板４１に対して常に初期状態の姿勢に戻そうとする回転力が作用し、これらの第１めくりユニット側板４０及び第２めくりユニット側板４１の傾きが適時修正される。
また、摺動パイプ４３は、第４図に示すように、摺動支持ロッド４６に対して滑らかに摺動するように構成されている。
この摺動支持ロッド４６の上端は上部ロッド支持板７０に、また、この摺動支持ロッド４６の下端は下部ロッド支持板７１に、それぞれ固定されている。
また、上部ロッド支持板７０には第１スプリング止め爪４７が、摺動パイプ４３の上部には第２スプリング止め爪４８が、それぞれ形成されており、これらの第１スプリング止め爪４７及び第２スプリング止め爪４８によって、摺動パイプ４３と上部ロッド支持板７０との間に軸装された、めくりユニット上下スプリング４５の両端がそれぞれ係止されている。
【００１８】
ここで、摺動パイプ４３は、通常の状態では、下部ロッド支持板７１に当接しているが、ページめくり読取ユニット１が外力を受けることによって、めくりユニット上下スブリンク４５の弾力に抗し、摺動支持ロッド４６に沿って、第４図において上方に摺動する。
このとき、摺動パイプ４３には、第２スプリング止め爪４８を常に下方に押圧する、めくりユニット上下スプリング４５の弾力によって、上述の通常の状態に戻ろうとする摺動力が作用している。
また、この摺動パイプ４３の上方への摺動範囲は、めくりユニット駆動板４９に配置されたスキャンカットオフセンサ３４が、摺動パイプ４３に設けられた上限検知部７６を検知した状態で、摺動パイプ４３の上方への摺動位置が限界位置となるように設定されている。
【００１９】
一方、めくりユニット駆動板４９は、第４図に示すように、上部ロッド支持板７０、下部ロッド支持板７１、第１スプリング止め爪４７、スキャニングパイプ５１、駆動ベルト固定部５３、及び、ホーム検知フィラ７５と一体的に形成されている。
また、このめくりユニット駆動板４９の駆動ベルト固定部５３は、前述したように、駆動ベルト固定板５４と駆動ベルト固定ビス５５によって、めくりユニット駆動ベルト５２に固定されている。
さらに、このめくりユニット駆動板４９のスキャニングパイプ５１は、スキャニングロッド５０に対して滑らかに摺動するように嵌合されている。
これにより、前述したように、めくりユニット駆動ベルト５２が駆動されて、ページめくり読取ユニット１が、そのホームポジション位置１−Ａに到達した時点で、第３図に示すホームセンサ３０により、スキャニングパイプ５１のホーム検知フィラ７５が検知されるように構成されている。
【００２０】
次に、第６図乃至第８図を参照しながら、この原稿読み取り装置における搬送部ロック装置の構成について説明する。
第６図乃至第８図は、ＭＦＤＳの両側部に配設された搬送部ロック装置１４０（両側とも同じ構成）の一方の構成を示す概略図である。
この搬送部ロック装置１４０は、ロック解除ソレノイド１３２、及び、ロック杆１３４等で構成されている。
第６図乃至第８図において、ロック解除ソレノイド１３２は、ロック解除ソレノイドアーム１３３の一端と連結されている。
ロック解除ソレノイドアーム１３３の他端は、ロック杆１３４の一端と回転白在に軸支されている。
このロック杆１３４のロック解除ソレノイドアーム１３３に対向するがわの側部には、電磁ロック１４１が配置されている。
また、ロック杆１３４の他端には、ロック解除ソレノイドアーム１３３が配置されているがわに向けて鍵爪状に折曲されたロック爪１３４ａが形成されている。
【００２１】
ロック杆１３４は、回転部１３６で回転自在に支持されており、その回転部１３６の上部がわが、ロックスプリング１３５の一端に繋がれている。
このロックスプリング１３５の他端は、搬送部１９の一部に繋がれていて、これにより、ロック杆１３４に対して、第６図において、時計回転方向への回動習性を与えている。
このロック杆１３４の回動習性による回動は、その回転部１３６の左下側に配置されたロック爪ストッパ１３７によって、所定の角度に阻止されている。
一方、原稿台１８側には、ロックピン１３９、及び、搬送部ロックセンサ３１が配置されたロック部１３８が形成されている。
【００２２】
第６図において、搬送部１９を押し下げながら閉じていくと、第７図に示すように、ロックピン１３９にロック杆１３４のロック爪１３４ａの下端が当接して、ロック杆１３４がその回転部１３６を回転軸として、反時計回りに回動される。
この状態から、搬送部１９をさらに閉じていくと、第８図に示すように、ロック杆１３４のロック爪１３４ａがロックピン１３９に引っかかって、搬送部１９が原稿台１８に固定される。
また、この搬送部１９のロック動作時に、ロック杆１３４のロック爪１３４ａによって、搬送部ロックセンサ３１が作動される。
この搬送部１９のロックの解除は、第１６図に示す操作表示ボード３１３のオープンキー６２０を押すことによって実行される。
すなわち、操作表示ボード３１３のオープンキー６２０を押下すると、ロック解除ソレノイド１３２が作動して、ロック杆１３４が回転部１３６を回転軸として反時計回りに回動し、ロックピン１３９からロツク杆１３４のロック爪１３４ａが外れ、図示せぬ搬送部開閉スプリングによって、搬送部１９が上方へ開放される（第１０図参照）。
但し、このオープンキー６２０は、ブック原稿９２の一連のページめくり走査時、読み取り走査途中、及び、シート原稿２００の搬送中の場合には、作動しない（入力を受け付けない）ようにプログラムされている。
また、このようにオープンキー６２０が入力を受け付けない状態では、電磁ロック１４１が作動され、この電磁ロック１４１によって、ロック爪１３４ａがロックピン１３９に係合されたままの状態で、ロック杆１３４の回動が拘束されるように構成されている。
【００２３】
上述のように構成されたＭＦＤＳは、第９図及び第１０図に示すように、例えば、プリンタ３００の上部に搭載されて使用される。
第１０図は、上述したように、このＭＦＤＳの搬送部１９を開放した状態を示している。
【００２４】
次に、第１１図乃至第１３図を参照しながら、この原稿読み取り装置におけるページめくり読取ユニット１の内部の第１読み取りセンサユニット９の構成について説明する。
第１１図は第１読み取りセンサユニット９の端部付近の斜視図、第１２図は第１読み取りセンサユニット９の端部付近の側面図、第１３図は第１読み取りセンサユニット９の端部の詳細断面図である。
この第１読み取りセンサユニット９の両端部は、両方共同じに構成されているので、ここではその片方のみの構成を説明する。
第１読み取りセンサユニット９は、第１１図に示すように、コの字状に形成された読み取りセンサブラケット１４６によって、その上部が覆われており、かつ、この読み取りセンサブラケット１４６に対して、上下動自在に配設されている。
【００２５】
読み取りセンサブラケット１４６は、その両端が第１めくりユニット側板４０及び第２めくりユニット側板４１に固定されることによって、ページめくり読取ユニット１と一体に構成されている。
この読み取りセンサブラケット１４６の端部の少し内側には、読み取りセンサスタッド１４８が下向きに固定されている。
この読み取りセンサスタッド１４８の下端部は、第１３図に示すように、第１読み取りセンサユニット９の端部に形成されているボス１４９に嵌合されている。
【００２６】
これにより、第１読み取りセンサユニット９が、読み取りセンサスタッド１４８を介して、読み取りセンサブラケット１４６に対して上下動自在に支持される。
【００２７】
ここで、読み取りセンサスタッド１４８とボス１４９とは、読み取りセンサスタッド１４８の下端に形成されたフランジ状の掛り部によって、それらの嵌合が外れないように構成されている。
【００２８】
また、読み取りセンサブラケット１４６の読み取りセンサスタッド１４８の基部と、第１読み取りセンサユニット９のボス１４９の基都との間には、読み取りセンサスプリング１４７が軸装されており、この読み取りセンサスプリング１４７の伸長力によって、第１読み取りセンサユニット９に対して、下方への変位習性が付勢されている。
これにより、この第１読み取りセンサユニット９は、常に、ページめくり読取ユニット１の最下部位に位置し、例えば、ブック原稿９２の表面の凹凸等によって外力を受けた際に、この外力に逆らうことなく、ブック原稿９２の表面の凹凸等に沿って滑らかに上下動される。
また、第１読み取りセンサユニット９の端部には、第１１図に示すように、読み取りセンサ解除ソレノイドアーム１５１を介して、読み取りセンサ解除ソレノイド１５０が取付けられている。
この読み取りセンサ解除ソレノイド１５０は、第１２図に示すように、第１めくりユニット側板４０に固定されており、第１読み取りセンサユニット９で原稿読み取り動作を行なわずにページめくり読取ユニット１が移動されるとき、例えば、ページめくり動作時、非読み取りページの空走査時、及び、シート原稿スキャンモードのリターン時等に、この読み取りセンサ解除ソレノイド１５０が作動される。
この読み取りセンサ解除ソレノイド１５０が作動されると、読み取りセンサスプリンク１４７の弾力に抗して、第１読み取りセンサユニット９が上方へ移動され、その原稿走査面が原稿の表面から退避（離隔）される。
この第１読み取りセンサユニット９は、めくりローラ２の回転によって発せられるエンコーダ１５２の信号をその画像読み取りの基準信号としている。
このめくりローラ２とエンコーダ１５２は、第１４図に示すように構成されている。
【００２９】
第１４図は、めくりローラ２の奥側の側面図を示している。
第１４図において、めくりローラ２の奥側の端部には、王冠状に形成されたフイラ１５３が配設されている。
【００３０】
フィラ１５３は、等間隔の同じ幅のスリットを円周上に形成して構成されている。
エンコーダ１５２は、このフィラ１５３を上下に挟むようにして、第２めくりユニット側板４１に固定されている。
これにより、このエンコーダ１５２は、めくりロ−ラ２の回転に応じ、フィラ１５３がエンコーダ１５２の検知光路を周期的に遮ることによって、第１読み取りセンサユニット９の画像読み取りの基準信号を発生する。
【００３１】
一方、原稿台１８に対するブック原稿９２の位置決めは、中央基準位置決め部２４によって行われる。
この中央基準位置決め部２４の詳細断面図を第１５図に示す。
この中央基準位置決め部２４は、ブック原稿９２の読み取り走査時、及び、ページめくり走査時の基準位置となっている。
中央基準位置決め部２４は、原稿載置面１１６の中央部に形成された構内に構成されている。
この溝内には、中央位置決め板１１３が、原稿載置面１１６に対して昇降自在に嵌合されている。
中央位置決め板１１３は、その下部に配設された中央位置決めスプリング１１４によって、常に、上昇する習性が与えられている。
この習性による中央位置決め板１１３の上方への移動は、原稿載置面１１６の溝の緑部に形成されたストツパ１１８に、中央位置決め板１１３のストツパ爪１１９が当接することによって阻止され、平生、第１５図の破線で示す位置で停止されている。
原稿載置面１１６へのブック原稿９２のセットは、溝内の中央位置決め板１１３の上にブック原稿９２の背（綴じ部）を載せることによって行われる。
【００３２】
すなわち、溝内の中央位置決め板１１３の上にブック原稿９２の背（綴じ部）が載せられると、このブック原稿９２の自重によって、中央位置決め板１１３が下方に押し下げられる。
これにより、原稿載置面１１６の溝内の側部に配置されたブック原稿センサ２７が、中央位置決め板１１３の移動を検知して、ブック原稿９２のセットが認知される。
【００３３】
ところで、この原稿台１８の全面部位には、ＭＦＤＳの操作表示ボード３１３が配置されている（第９図及び第１０図参照）。
この操作表示ボード  ３１３は、第１６図に示すような、多数の入力キーが配置されている。
以下、これらの入力キーの機能を順に説明する。
スタートキー６００は、原稿の読み取り開始を指示するときに押される。
エンターキー６０１は、テンキー入力や液晶表示パネル上での選択入力のときに、その入力を確定する際に押される。
テンキー６０２は、原稿のプリント枚数、及び、ページめくり枚数等を設定するときに使用される。
読み取り開始ページ選択キー６０３は、ブック原稿読み取りモード時おいて、ブック原稿９２の向かって「左」・「右」どちらのページから読み取りを開始するかを選択するキーであって、このキーを１回押下する毎に、ブック原稿９２の読み取り開始ページの左右が切り替わる。
【００３４】
このキーの初期設定時における読み取り開始ページは、「左」ページに設定されており、このキーにより選択された読み取り開始ページがブック原稿９２の左右の何れであるかは、２つの読み取り開始ページ表示ＬＥＤ６３１のどちらが点灯されているかによって表示される。
読み取り総ページ設定キー６０６は、ブック原稿読み取りモードにおいて、そのページめくり枚数を入力する際の、読み取りたい総ページ枚数を設定するときに押下される。
ブック原稿９２の読み取り総ページ枚数は、この読み取り総ページ設定キー６０６を押下して、テンキー６０２でそのページ数を入力した後、エンターキー６０１を押下することにより確定され、この確定された値が液晶表示パネル６３０に表示される。
ブックサイズ選択キー６０７は、ブック原稿読み取りモードのときに、「自動ブックサイズ認識モード」、もしくは、「ブックサイズキー入力モード」の何れかを選択する際に押下される。
また、このキーが１回押される毎に、ブックサイズ表示ＬＥＤ６３２の表示が、「自動」・「定形」・「不定形（ｍｍ入力）」の順に切り替えられ、このブックサイズ表示ＬＥＤ６３２により表示されたモードが選択される。
【００３５】
このブックサイズ選択キー６０７の初期設定時の、ブックサイズ表示ＬＥＤ６３２の表示は、「自動」になっており、「自動ブックサイズ認識モード」が選択されている。
【００３６】
ここで、ブツクサイズキ一入力モードには、「定形」と、「不定形（ｍｍ入力）」とがあり、ブックサイズが、Ａ５・Ｂ５・Ａ４の場合に限り、「定形」を選択することにより、定形ブックサイズ選択キー６１９によるブックサイズの入力が可能となる。
この定形ブックサイズ選択キー６１９が１回押される毎に、定形ブックサイズ表示ＬＥＤ６３３の表示が、「Ａ５」・「Ｂ５」・「Ａ４」の順に切り替えられ、選択されたブックサイズが表示されて認識される。
【００３７】
この定形ブックサイズ選択キー６１９の初期設定時の、定形ブックサイズ表示ＬＥＤ６３３の表示は、「Ａ４」となっている。
但し、ここでいうブックサイズとは、ブック原稿９２の表紙の大きさを指している。
ここで、ブック原稿９２が、上述した定形ブックサイズ以外の場合には、ブックサイズ選択キー６０７により、「不定形（ｍｍ入力）」を選択し、テンキー６０２で、セットされたブック原稿９２の縦サイズ、及び、横サイズ（ｍｍ単位）をそれぞれ入力した後、エンターキー６０１を押下して、そのブックサイズを確定する。
このようにしてブック原稿９２のサイズが確定されると、その入力されたサイズ値が液晶表示パネル６３０に表示される。
【００３８】
ブック綴じ部マスク領域設定キー６０８は、ブック原稿読み取りモ−ドのときに、中央基準位置決め部２４のセンタ−からの非読み取り領域（マスク領域）を、「左（一）」・「右（十）」の何れとするかを設定するときに押下される。
【００３９】
すなわち、ブック原稿９２のブック綴じ部にマスク領域を形成するときには、先ず、このブック綴じ部マスク領域設定キー６０８で、ブック原稿９２の左右何れのページにマスク領域を形成するかを設定し、次いで、この設定された「左マスク領域（−）」、もしくは、「右マスク領域（＋）」の長さ（ｍｍ単位）を、テンキー６０２により入力した後、エンターキー６０１でこの入力値を確定する。
【００４０】
このようにしてブック原稿９２のマスク領域が確定されると、その入力された値が液晶表示パネル６３０に表示される。
このブック綴じ部マスク領域設定キー６０８の初期設定時におけるマスク領域の値は、「±１０ｍｍ」となっている。
読み取り領域選択キー６０９は、ブック原稿読み取りモードのときに、ブック原稿９２の読み取り領域を、「片頁（左）」・「片頁〔右）」・「両頁」のうちの何れとするかを選択する際に押下される。
【００４１】
この読み取り領域選択キー６０９が１回押される毎に、読み取り領域表示ＬＥＤ６３６の表示が、「片頁（左）」・「片頁（右）」・「両頁」の順に切り替えられ、選択された読み取り領域が表示されて認識される。
この読み取り領域選択キー６０９の初期設定時の、読み取り領域表示ＬＥＤ６３６の表示は、「両頁」となっている。
ここで、「片頁（左）」が選択された場合には、ブック原稿９２の向かって左ページのみの読み取り走査が実行され、右ページの読み取り走査は行われない。また、ここで、「片頁（右）」が選択された場合には、ブック原稿９２の向かって右ページのみの読み取り走査が実行され、左ページの読み取り走査は行われない。
見開き連写キー６１０は、ブック原稿読み取りモードの「見開き２ページ連続読み取りモード」、及び、その「両面モード」のときに、読み取った原稿情報を等倍率でプリントアウトすることを指示する際に押下される。
見開き連写縮小キー６１１は、ブック原稿読み取りモードの「見開き２ページ連続読み取りモード」、及び、その「両面モード」のときに、読み取った原稿情報を縮小倍率でプリントアウトすることを指示する際に押下される。
この時の、原稿情報の縮小倍率の設定は、プリント変倍キー６１４を操作することによって行われる。
また、この見開き連写縮小キー６１１の初期設定時における基準縮小倍率は、「原稿のサイズ×０．７１（Ａ３→Ａ４／Ｂ４→Ｂ５）」に設定されている。
【００４２】
両面モード選択キー６１２は、ブック原稿読み取りモードが、「見開き１ページ区切り読み取りモード」の「両面モード」のときに、何れの面を表にし、また、何れの面を裏にしてプリントするかを、「見開き両面モード」・「オリジナル両面モード」・「順次両面モード」の３つの両面モードの中から選択する際に押下される。
【００４３】
この両面モード選択キー６１２が１回押される毎に、両面モード表示ＬＥＤ６３４の表示が、「見開き両面モード」・「オリジナル両面モード」・「順次両面モード」の順に切り替えられ、選択された読み取り領域が表示されて認識される。
この両面モード選択キー６１２の初期設定時の、両面モード表示ＬＥＤ６３４の表示は、「オリジナル両面モード」となっている。
ここで、「見開き両面モード」が選択された場合には、見開かれたフック原稿９２の左右両ページのうち、左ページを表にし、右ページを裏にして、両面プリントが実行される。
このとき、読み取り開始ページ選択キー６０３により、ブック原稿９２の読み取り開始ページが「右」に設定されている場合には、始めの１枚目のプリントは片面プリントとなる。
また、ここで、「オリジナル両面モ−ド」が選択された場合には、見開かれたブック原稿９２の左右両ページのうち、右ページを表にし、ページめくり動作によりめくられた次のページの左ページを裏にして、両面プリントが実行される。
【００４４】
すなわち、この「オリジナル両面モード」では、読み取られるブック原稿９２の装丁と全く同様にプリントされる。
このとき、読み取り開始ページ選択キー６０３により、ブック原稿９２の読み取り開始ページが「右］に設定されている場合には、「見開き両面モード」の場合と同様、始めの１枚目のプリントは片面プリントとなる。
さらに、ここで、「順次両面モード」が選択された場合には、見開かれたブック原稿９２の左右両ページのうち、読み取り開始ページ選択キー６０３で設定されたページを表にし、ページめくり動作によりめくられた次のページを裏にして、以後、順次読み取った順番に両面プリントが実行される。
【００４５】
見開き連写高速プリント設定キー６１３は、ブック原稿読み取りモードの「見開き２ページ連続読み取りモード」の「片面モード」のときに、ブック原稿９２の綴じ部付近において、ページめくり読取ユニット１の操作を減速または停止させること無く、連続して読み取り走査を実行し、ブック原稿９２の左右両ページの連続プリントを指示する際に押下される。
プリント変倍キー６１４は、読み取った画像を変倍してプリントするときに、その変倍率を設定するためのキーである。
このプリント変倍キー６１４を押下すると、液品表示パネル６３０に、予め設定された変倍率が表示される。
ここで、変倍率は、カーソル移動キー６１７で希望する変倍率にカーソルを合わせてから、エンターキー６０１を押下することにより確定される。
【００４６】
画像処理設定キー６１５は、読み取った画像を画像処理してプリントするときに、その画像処理モードを設定するためのキーである。
この画像処理設定キー６１５を押下すると、液晶表示パネル６３０に、予め設定された画像処理モードが表示される。
ここで、画像処理モードは、カーソル移動キー６１７で希望する画像処理モードにカーソルを合わせでから、エンターキー６０１を押下することにより確定される。
【００４７】
モード設定選択キー６１６は、ＭＦＤＳの動作モードを設定するためのキーである。
このモード設定選択キー６１６を押下すると、液晶表示パネル６３０に、予め設定されたＭＦＤＳの動作モードが表示される。
ここで、ＭＦＤＳの動作モードは、希望するＭＦＤＳの動作モードカーソルを合わせてから、エンターキー６０１を押下することにより確定される。
カーソル移動キー６１７は、液晶表示パネル６３０に表示された各選択エリアにカーソルを移動させるためのキーである。
【００４８】
読み取りスキップページ設定キー６１８は、ブック原稿読み取りモードにおいて、読み取り走査を実行せずに読み飛ばすページを設定するためのキーである。
【００４９】
すなわち、ブック原稿９２の各ページのうち、原稿読み取り走査を実行せずに読み飛ばしたいぺ一ジがある場合には、先ず、この読み取りスキップページ設定キイー６１８を押下し、次いで、ブック原稿９２の読み飛ばしたいページ（スキップページ）が、その読み取り開始ページから何ページ目であるかをテンキー６０２で入力した後、エンターキー６０１を押下して、このスキップページを確定する。
このようにして入力されたスキップページは、液晶表示パネル６３０に表示される。
定形ブックサイズ選択キー６１９は、ブック原稿９２のブックサイズを選択するためのキーである。
【００５０】
前述したように、ブックサイズキー入力モードには、「定形」と、「不定形（ｍｍ入力）」とがあり、ブックサイズが、Ａ５・Ｂ５・Ａ４の場合に限り、「定形」を選択することにより、この定形ブックサイズ選択キー６１９によるブックサイズの入力が可能となる。
この定形ブックサイズ選択キー６１９が１回押される毎に、定形ブックサイズ表示ＬＥＤ６３３の表示が、「Ａ５」・「Ｂ５」・「Ａ４」の順に切り替えられ、選択されたブックサイズが表示されて認識される。
この定形ブックサイズ選択キー６１９の初期設定時の、定形ブックサイズ表示ＬＥＤ６３３の表示は、「Ａ４」となっている。
但し、ここでいうブックサイズとは、ブック原稿９２の表紙の大きさを指している。
オープンキー６２０は、ＭＦＤＳの搬送部１９を開放するときに押下される。シート原稿セット選択キー６２５は、シート原稿読み取りモードにおいて、「シート原稿スルーモード」の「片面原稿読み取りモード」のときに、原稿載置面１１６にセットされるシート原稿２００の原稿面を「上向き」・「下向き」の何れかに選択するためのキーである。
【００５１】
このシート原稿セット選択キー６２５が１回押される毎に、シート原稿セット表示ＬＥＤ６３５の表示が、「上向き」・「下向き」の順に切り替えられ、選択されたシート原稿セット面が表示されて認識される。
このシート原稿セット選択キー６２５の初期設定時の、シート原稿セット表示ＬＥＤ６３５の表示は、「上向き」となっている。
【００５２】
次に、第９図及び第１０図に示したプリンタ３００について説明する。
このプリンタ３００の概略断面図を第１７図に示す。
画像処理後の画像情報は、プリンタ３００の書き込み部において、レーザ光のラスター走査によって、光の点の集合の形で感光体ドラム１７０上に書き込まれる。
このときのレーザ光源には、半導体レーザが使用されている
このプリンタ３００の書き込み部の平面図を第１８図に示す。
第１８図において、半導体レーザ１７１で発せられたレーザ光は、コリメートレンズ１７２で平行な光束に変えられ、アパーチャ１７３により、一定形状の光束に整形される。
この整形されたビームは、第１シリンダーレンズ１７４により、その副走査方向を圧縮された形でポリゴンミラー１７５に入射される。
このポリゴンミラー１７５は、正確な多角形状をしており、ポリゴンモータ１７６により、一定方向に一定の速度で回転されている。
このポリゴンミラー１７５の回転速度は、感光体ドラム１７０の速度と、書き込み密度と、面数とによって決定される。
ポリゴンミフー１７５に入射されたレーザ光は、その反射光がミラーの回転により偏向される。
この偏向されたレーザ光は、各ｆθレンズ１７７ａ，１７７ｂ，１７７ｃに入射される。
これらのｆθレンズ１７７ａ，１７７ｂ，１７７ｃは、角速度が一定の走査光を感光体ドラム１７０上で等速走査するように変換する機能、感光体ドラム１７０上で最小光点となるようにこの走査光を結像させる機能、及び、その面倒れを補正する機能を有している。
各ｆθレンズ１７７ａ，１７７ｂ，１７７ｃを通過した光は、その画像領域外で、同期検知ミラー１７８により同期検知センサ１７９に導かれ、主走査方向の頭出し信号を出す同期信号が出力されてから、一定時間後に画像データが１ライン分だけ出力され、以下、これを繰り返すことにより、１つの画像を形成する。
【００５３】
一方、感光体ドラム１７０の表面には、感光層が塗布されている。
ここで、半導体レーザ１７１の７８０ｎｍという波長に感度を有する感光体としては、有機感光体（ＯＰＣ）、α−Ｓｉ、Ｓｅ−Ｔｅ等が知られているが、本実施例では、有機感光体を使用している。
また、一般に、レーザ書き込みの場合、画像部に光をあてるＮ／Ｐプロセスと、地肌部に光をあてるＰ／Ｐプロセスがあるが、本実施例では、そのレーザ書き込みプロセスとして、画像部に光をあてるＮ／Ｐプロセスを採用している。
【００５４】
第１７図において、感光体ドラム１７０の表面は、感光体ドラム１７０がわにグリッドを持つスコロトロン方式の帯電チャージャ１８０により、均一に負帯電させる。
次いで、この負帯電された感光体ドラム１７０の画像部に、レーザ光が照射されて、この画像部電位が落されると、この感光体ドラム１７０の表面に、地肌部電位が−７５０〜−８００Ｖ、画像部電位が−５０Ｖ程度の静電椿像が形成される。
この静電潜像は、現像器１８１の現像ローラに、−５００〜−６００Ｖのバイアス電圧を与えて、負帯電されたトナーによって、顕像化される。
【００５５】
この現像器１８１によって顕像化された画像は、感光体ドラム１７０の回転にシンクロして給送された転写紙の紙面上に、この転写紙の裏面側から正電位のチャージをかける転写チャージャ１８２の転写作用によって転写される。
この画像の転写された転写紙は、転写チャージャ１８２と一体に保持された分離チャージャ１８３により交流除電されることによって、感光体ドラム１７０の表面から分離される。
このとき、転写紙に転写されずに、感光体ドラム１７０上に残留されたトナーは、クリーニングブレード１８４により感光体ドラム１７０の表面から掻き落され、このクリーニングブレド１８４の周囲に配設されたタンク１８５内に回収される。
また、感光体ドラム１７０の表面に残留された電位のパターンは、除電ランプ１８６により光が照射されることによって消去される。
【００５６】
現像器１８１のすぐ下流側には、フォトセンサ１８７が設けられている。
このフォトセンサ１８７は、受光素子と発光素子とで構成されており、感光体ドラム１７０の表面の反射濃度を計測し、この反射濃度（現像後のトナー濃度）が予め設定された基準値以下になったときに、現像器１８１内に新たなトナーを補給するためのトナー補給信号を出力する。
すなわち、このフォトセンサ１８７は、例えば、このフォトセンサ１８７の読み取り位置に対応した位置に、その光書き込み部で一定パターン（純黒または網点のパターン）を書き込み、このパターンを現像した後のパターン部の光反射率と、このパターン部位外の感光体ドラム１７０の光反射率との比から現像された画像の濃淡を判断し、この画像の濃度がその基準値よりも低いときにトナー補給信号を出力するように構成される。
ここで、新たな補給トナーが不足している場合には、トナー補給信号を出力しても、その現像濃度が高くならない点を利用して、このフォトセンサ１８７をトナーの残量不足を検知するセンサとして兼用させるように構成してもよい。
【００５７】
一方、本実施例のプリンタ３００は、複数のカセット１８８ａ，１８８ｂを備えており、且つ、画像が一度転写された転写紙を再給紙ループ１８９を通して両面給紙し得るように構成されている。
すなわち、第１７図において、所定のカセットが選択された後、プリンタ３００のスタートボタンが押されると、各カセット１８８ａ，１８８ｂの各給紙コロ１９０ａ，１９０ｂのうちの選択されたがわの給紙コロが回転されて、そのカセット内の転写紙がレジストローラ１９１のニップに突き当たるまで給送される。このレジストローラ１９１は、感光体ドラム１７０に形成された画像の位置と転写紙の位置とがシンクロするタイミングをとって、回転が開始され、感光体ドラム１７０の表面に向けて、転写紙を搬送する。
これにより、この転写紙は、前述したように、画像が転写され、さらに、感光体ドラム１７０の表面から分離された後、分離搬送部１９２に吸引搬送され、ヒートローラ１９３、及び、加圧ローラ１９４からなる定着ローラによって、その紙面上に転写されたトナーが定着される。
このトナーの定着された転写紙は、通常のプリント時には、切換爪１９５が第１９図（ａ）に示すような位置に臨み、この切換爪１９５により、プリンタ３００の排紙口を通して排紙トレイ１６９上に排出される。
ここで、プリンタ３００のプリントモードが「両面モード」の場合には、切換爪１９５が第１９図（ｂ）に示す位置に切り換えられ、プリンタ３００の左側部に形成された両面搬送路に向けて転写紙が搬送される。
【００５８】
この転写紙は、反転ガイド爪１９６を通過して、一旦、反転ガイドトレー１９７上へ導かれた後、反転ガイド爪１９６が切り換えられ、且つ、反転ガイドローラ１９８が逆回転（反転）されることによって、再給紙ループ１８９を通して、再び、レジストローラ１９１のニップに当接されるまで絵送される。
このようにして、再給送された転写紙は、前述の通常のプリント時と同様にして、感光体ドラム１７０上に形成されたトナー画像が転写・定着された後、第１９図（ａ）で示す初期状態に切り換えられた、切換爪１９５を経て排紙トレイ１６９上に排出される。
ここで、片面プリントモード時の排出時における転写紙の画像定着面を排紙トレイ１６９の積載面に対向させて転写紙の排出を行う、「裏面排紙モード」が設定されている場合には、上述の「両面モード」時と同様に、切換爪１９５が第１９図（ｂ）に示す位置に切り換えられ、転写紙がそのまま排紙されること無く、一旦、両面搬送路に向けて搬送される。
そして、この転写紙の後端が、切換爪１９５を通過すると、その直後に、切換爪１９５が第１９図（ｃ）に示す位置に切り換えられるとともに、スイッチバックローラ１９９の回転方向が反転されて、この両面搬送路に導かれた転写紙が、スイッチバック搬送され、プリンタ３００の排紙口を通して排紙トレイ１６９上に排出される。
この「裏面排紙モード」では、片面プリントされた転写紙が、その画像定着面を排紙トレイ１６９の載置面に対向させて排紙トレイ１６９上に排出されるので、原稿の読み取りページ順どおりに、転写紙のプリントページ順序の揃った転写紙の排出が行われる。
【００５９】
ところで、ページめくり読取ユニット１は、第４図を参照して説明したように、第１めくりユニット側板４０と第２めくりユニット側板４１との間に、めくりローラ２、第１ローラ４、第２ローラ５、押えローラ６、及び、第１バイアスローラ３が、それぞれ回転自在に配設されている。
これらの、めくりローラ２、第１ローラ４、第２ローラ５、押えローラ６、及び、第１バイアスローラ３には、第２０図に示すように、めくり搬送ベルト８が掛け渡されている。
第１バイアスローラ３には、第１高圧電源３２０が接続されていて、２本のポートより、吸着用、除電用の各周波数の交流電圧が、それぞれ与えられるように構成されている。
また、このページめくり読取ユニット１の内部の、めくりローラ２と第１読み取りセンサユニット９との間には、めくりガイド１０が、さらに、このめくりガイド１０の上方には、めくり搬送ベルト８の内周面に沿うようにしてページ収納部７が、それぞれ配設されている。
このページ収納部７には、ページめくり時のエラーを検知するための、フォトセンサなどからなるページめくりセンサ２９が配置されている。
このページめくりセンサ２９は、めくりガイド１０に配置してもよい。
また、めくりローラ２と押えローラ６との間には、第１１図を参照して説明したように、第１読み取りセンサユニット９が配置されている。
この第１読み取りセンサユニット９は、ページめくり読取ユニット１に対して、約３ｍｍ程度上下移動可能に取付けられており、原稿読み取り時には、読み取りセンサスプリンク１４７により下方に押下されて、ブック原稿９２、またはシート原稿２００の原稿面に密着されるように構成されている。
また、この第１読み取りセンサユニット９は、第２１図に示すように、原稿の照明系としてのＬＥＤ３１６、原稿像の結像系としてのＲＭＬＡ８１（ルーフミラーレンズアレイ）、及び、結像された原稿の光像を電気信号に変換する光電変換系としてのＳｉ等倍センサ３１５を備えている。
【００６０】
この第１読み取りセンサコニット９による原稿読み取りは、次のようにように行われる。
第２１図において、先ず、ＬＥＤ３１６から発せられた光が、バーレンズ８３により、原稿面上に集光されて、原稿が照明される。
次に、この原稿面からの反射光が、光路分離ミラー８４で反射されて、ＬＡ８５（レンズアレイ）、及び、ＲＭＡ８６（ルーフミラーアレイ）を通り、再び、光路分離ミラー８４により反射される。
この光路分離ミラー８４により反射された原稿の画像光は、Ｓｉ等倍センサ３１５の受光面上に結像され、このＳｉ等倍センサ３１５によって、これに結像された画像情報が、電気信号に変換されて読み取られる。
次に、上述のように構成された本願実施例における基本的なページめくり動作について説明する。
【００６１】
先ず、本実施例における原稿の読み取りは、次のような手順で行われる。
原稿がブック原稿９２の場合には、操作表示ボード３１３のオープンキー６２０を押して、第１０図に示すように搬送部１９を上方に開き、原高台１８の中央基準位置決め部２４に、ブック原稿９２の綴じ部（背）をセットし、このブック原稿９２の読み取り開始ページを上向きに開いた状態で、第９図に示すように搬送部１９を閉じる。
この状態で、操作表示ボード３１３の各キーを操作して、このブック原稿９２の読み取り条件を設定した後、スタートキー６００を押してＭＦＤＳをスタートさせる。
これにより、第１図に示すように、めくりユニット駆動ベルト５２が、めくりユニット駆動モータ６０により駆動されて、ページめくり読取ユニット１が、左端のホームポジション位置１−Ａから、右方向に移動を開始し、このページめくり読取ユニット１の移動により、第１読み取りセンサユニット９が、ブック原稿９２の原稿情報を読み込んでいく。
このとき、めくり搬送ベルト８は、その回転が停止されており、見開かれたブック原稿９２の原稿面をその上から押え付けている。
また、ページめくり読取ユニット１は、前述したように、その回動支持ロッド４２を支点として回動され、且つ、これと一体化された摺動パイプ４３が摺動支持ロッド４６に沿って上下動されることによって、ブック原稿９２の原稿面に沿って、この原稿面に第１読み取りセンサユニット９を密着させながら移動される。
【００６２】
さらに、このページめくり読取ユニット１が、ブック原稿９２の略中央のブック原稿読み取り途中位置１−Ｂに到達すると、第１バイアスローラ３に、第２０図に示した第１高圧電源３２０から、吸着用の交流電圧が印加されて、めくり搬送ベルト８上にストライプ形状の電荷パターンが形成される。
このように、ページめくり読取ユニット１は、めくり搬送ベルト８上にストライプ形状の電荷パターンを形成しながら、第１図の右端のエンドポジション位置１−Ｃまで移動し、その第１読み取りセンサユニット９によって、ブック原稿９２の原稿情報を読み取る。
【００６３】
上述のようにして、ブック原稿９２の原稿情報の読み取りが完了すると、ページめくり読取ユニット１は、第２２図に示すように、そのエンドポジション位置１ーＣから、ホームポジション位置１−Ａに向けて、復帰移動される。
【００６４】
このとき、第２３図に示すように、めくり搬送ベルト８上には、その読み取り動作時に形成された電荷パターンによって、不平等な電界が発生しており、この静電界により、ブック原稿９２の右ページが、めくり搬送ベルト８に、静電的に吸着されるようになっている。
従って、この状態で、ページめくり読取ユニット１が、そのエンドポジション位置１−Ｃに向けて移動され、このページめくり読取ユニット１が、第２２図に示す、めくり開始位置１−Ｄに到達すると、第２４図に示すように、このめくり搬送ベルト８と一緒に、ブック原稿９２の右ページ１枚分の原稿の端部が、ページめくり読取ユニット１の中に巻き込まれる。
このように、ページめくり読取ユニット１内に巻き込まれた原稿は、このページめくり読取ユニット１の移動に伴って、そのめくりローラ２の曲率と原稿の腰の強さとによる曲率分離により、その先端が、めくり搬送ベルト８から徐々に分離される。
このようにして、めくり搬送ベルト８から徐々に分離された原稿は、第２０図に示しためくりガイド１０に沿って移動され、この原稿の移動方向の下流側に配置されているページ収納部７内に導かれる。
このページ収納部７は、第２０図に示すように、円筒状に形成されており、その内周面に沿うように、ページめくり読取ユニット１内に巻き込まれた原稿を巻き取ることによって、極めて僅かなスペースに、読み取りを終えた１ページ分の原稿を収納することができる。
【００６５】
従って、このページめくり読取ユニット１によれば、第２２図に示すように、このページめくり読取ユニット１が、そのめくり開始位置１‐Ｄから巻き取り完了位置１−Ｅに向けて復帰移動されることにより、その読み取りを終えた１ページ分の原稿と、次の読み取り動作により読み取りが行われる次頁の原稿とを、極めてスムーズに分離させることができる。
このようにしてページ収納部７に収納された原稿は、ページめくり読取ユニット１が、その巻き取り完了位置１−Ｅから、ブック原稿９２の中央を越えて、ブック原稿９２の左ページがわのページ排出位置１−Ｆに向けて、さらに復帰移動されることによって、このページめくり読取ユニット１と、これに収納された原稿との相対的な移動により、この原稿がページめくり読取ユニット１のページ収納部７から排出され始める。
そして、このページめくり読取ユニット１が、そのホームポジション位置１−Ａに復帰移動されて、その移動が完了することにより、このページめくり読取ユニット１のページ収納部７に収納されていた原稿の排出が完了して、読み取りを終えた原稿の１ページ分のめくり動作が完了される。
【００６６】
一方、この原稿のめくり動作中においては、ページめくり読取ユニット１のページ収納部７ヘの原稿の巻き取りが開始された直後から、この原稿の巻き取りが完了する間にかけて、第１バイアスローラ３に、第２０図に示した第１高圧電源３２０から除電用の交流電圧が印加されることによって、めくり搬送ベルト８上に形成されていた電荷パターンが除電されるようにプログラムされている。
従って、このページめくり読取ユニット１の復帰移動時においては、読み取りを終えた原稿と、この原稿をめくるめくり搬送ベルト８との間に、静電的な吸着力が発生しないので、この原稿の巻き取り動作、及び、排出動作を極めてスムーズに行うことができる。
【００６７】
ところで、従来、シート部材等の保持及び搬送装置としては、エア吸引方式や、櫛歯電極及び電気２重層方式による静電吸着方式等による装置が知られている。
【００６８】
また、ブック原稿のページめくり装置として、エア吸引方式等を応用した装置が提案されている。
しかしなから、これらの各方式には、それぞれ後述するような欠点があるため、これらの方式に基づいてブック原稿のページめくり装置を実用化することは、ほとんど不可能に近い。
すなわち、エア吸引方式では、エアを吸引して負圧を発生させるエアポンプ、及び、エアの吸引経路を必要とするため、装置の大型化を招く欠点がある。
また、櫛歯電極埋め込み方式では、２つの櫛歯状電極を、それぞれの歯が噛み合うように誘電体の中に埋め込み、それぞれの電極に、正極、及び、負極の電圧を印加する方式のため、コストが高くなるばかりでなく、原稿のめくり搬送ベルトを無端形状のベルトに形成することが困難となる。
さらに、電気２重層方式では、コロナ放電などによって、ベルトとシートにそれぞれ逆極性の電荷をチャージするため、ブック原稿などのページめくりに際しては、めくるページだけを予め分離しないと、電荷をチャージすることができない。
また、例えば、ゴムローラなどの摩擦力を用いる、その他のページめくり方式では、ブック原稿の紙質や大きさによっで、そのページめくり精度が著しく制約されるため、その信頼性を向上させることが困難となる。
【００６９】
これに対し、本願実施例では、第２０図、第２３図及び第２４図に示したように、無端ベルトからなる、めくり搬送ベルト８に、高圧電源３２０から吸着用の交流電圧を印加して、めくり搬送ベルト８の表面に、交番的なストライプ形状の電荷パターンを形成することによって、このめくり搬送ベルト８に不平等電界を発生させて、原稿の保持搬送、及び、ページめくりを行っている。
従って、このページめくり方式によれば、原稿の保持搬送、及び、ページめくり動作を極めてスムーズに行うことがでる。
【００７０】
以下、このページめくり方式における基本的な構成、及び、静電吸着原理について説明する。
このページめくり方式に使用されるめくり搬送ベルト８としては、無端ベルト状に形成された誘電体の裏面に、導電処理を施してなる２層構造のベルトを使用した。
また、このめくり搬送ベルト８に対して交番的な電圧を印加する手段としては、このめくり搬送ベルト８の表面に周面を接触させて回転自在に支持された第１バイアスローラ３に、第１高圧電源３２０により吸着用の交流電圧を印加した。
【００７１】
第２０図及び第２３図に示すように、めくり搬送ベルト８の導電層８ｂをアース面として、第１バイアスローラ３に交番的な電界を印加させながら、このめくり搬送ベルト８と第１バイアスローラ３とを相対移動させることによって、めくり搬送ベルト８の誘電体８ａの表面に、ストライプ形状の電荷パターンが形成される。
これによって、めくり搬送ベルト８の誘電体８ａの表面近傍に、不平等電界が発生する。
この不平等な電界中に、読み取り原稿となる用紙等の誘電体を近づけると、その内部が分極をおこし、この電界が不平等なために、この用紙にめくり搬送ベルト８がわへの引力が働く。
このことは、ｍａｘｗｅｌｌの応力をこの用紙の表面に亘って、面積分を行うことによって明らかとなる。
ここで、ｍａｘｗｅｌｌの応力は、
ｆ＝ＥｄｉｖＤ−１／２ｇｒａｄ（Ｅ・Ｄ）＋（Ｄ・ｇｒａｄ）Ｅ    …（ａ）式
で表される。
また、めくり搬送ベルト８の表面の法線方向をＸ軸とすると、このＸ軸方向のｍａｘｗｅｌｌの応力は、
【００７２】
【数１】
0003562765.tif 000002
【００７３】
で表される（ｂ）式のようになる。
【００７４】
次に、用紙の外表面（上下面）に沿って、この（ｂ）式で表されるＸ軸方向のｍａｘｗｅｌｌの応力ｆｘを面積分することによって、この用紙の物体力（吸着力）Ｎが求められる。
すなわち、この用紙の物体力（吸着力）Ｎは、
Ｎ＝∫ｓｆｘｄＳ
となる。
これにより、この用紙の摩擦係数をμとすると、この用紙の搬送力Ｆは、
Ｆ＝μＮ
の式で表される。
本実施例の具体的な構成としては、めくり搬送ベルト８として、厚さ７５μｍのＰＥＴフィルム（誘電体８ａ）に、厚さ１０μｍのアルミ蒸着層（導電層８ｂ）が形成された無端ベルトを使用し、これに形成される電荷パターンのピッチを２．４ｍｍとした。
すなわち、ブック原稿９２の読み取り速度を１２０ｍｍ／ｓ、交流周波数を５０Ｈｚ、印加電圧を±２ｋＶｐ−ｐとした。
また、第２５図に印加電圧を±２ｋＶｐ−ｐに一定としたときの搬送力のピッチ特性の実験値を、第２６図に印加電圧を±２ｋＶｐ−ｐに一定としたときの吸着力のピッチ特性の実験値を、第２７図に電荷パターンのピッチを２．４ｍｍに一定としたときの搬送力の印加電圧特性の実験値を、第２８図に電荷パターンのピッチを２．４ｍｍに一定としたときの吸着力の印加電圧特性の実験値を示す。
【００７５】
これらの実験値から明らかなように、本実施例に使用される電荷パターンのピッチ、及び、印加電圧は、上述した値に限定されるものではなく、例えば、電磁パターンのピッチとしては、０．５ｍｍ〜１０ｍｍの範囲であれば良く、また、印加電圧としては、±１ｋｖｐ−ｐ以上であれば良い。
また、本実施例では、除電用の高周波交流電圧として、２ｋＨｚの周波数と、±２ｋＶｐ−ｐの印加電圧を使用しているが、これらの各値についても、その除電効果が得られる値であれば、どのような値であっても良い。
上述のように、本実施例におけるページめくり方式によれば、めくり搬送ベルト８に吸着させる用紙（ブック原稿９２）には、何等細工を施す必要が無いので、この用紙どうしが静電気により互いに引き合うことが無く、用紙端部の乱れ（不揃い）の発生による、ブック原稿９２のページめくりミスの発生を無くすことができる。
また、このページめくり方式によれば、その吸着力の発生している個所が、めくり搬送ベルト８の表面の近傍であるので、このめくり搬送ベルト８の表面に接触している用紙、すなわち、ブック原稿９２のページめくりが実行されるがわの最上位の原稿に対しては、充分に大きな搬送力、及び、吸着力が作用するが、この原稿の下位に位置する、２枚目以下の原稿に対しては、これらの搬送力、及び、吸着力が、ほとんど作用することが無い。
従って、このページめくり方式によれば、１枚だけのページめくりを確実に実行することができるので、この方式は、ブック原稿９２のページめくり方式として最適な方式となる。
【００７６】
次に、上述のように構成されたＭＦＤＳの動作について説明する。
第２９図はＭＦＤＳの電装ブロック図、第３０図はブック原稿読み取り時の動作モード遷移図、第３１図はシート原稿読み取り時の遷移図、及び、第３２図はＭＦＤＳの動作モードを示すフローチャートである。
先ず、第２９図に基づいて、ＭＦＤＳの制御手段について説明する。
第２９図において、メイン制御ボード３１０は、各ボード間のコマンド、及び、データを制御し、各負荷のＯＮ／ＯＦＦタイミングや、各センサ入力による異常処理、及び、エード切り換え等を行いＭＦＤＳ全体のコントロールをしている。
また、このメイン制御ボード３１０は、接続機器との通信を行うことにより、通信プロトコルを設定し、各接続機器に対して個別に対応できるように構成されている。
例えば、プリンタ３００がその出力装置として接続されている場合には、その画素密度、処理速度、両面プリントの可否、及び、裏面排紙の可否等をチェックし、その対応モード選択域を決定できるように構成されている。
さらに、このメイン制御ボード３１０は、各モードに対応して、外部機器へのインターフェースを２系統備えている。
【００７７】
本実施例のメイン制御ボード３１０では、各ボード間のコマンドをシリアル通信で行い、そのデータ・制御線から分離して、そのデータ出力中にもコマンド送受信を可能としている。
ここで、その汎用性を高める場合には、そのインターフェースとして、ＧＰＩＢ、セントロニクス、ＳＣＳＩ等の、どちらか一方、もしくは、両方を設定することにより、汎用プリンタや、パーソナルコンピュータを介して、そのディスプレイ表示や、光ディスク装置、ＨＤＤ、及び、ＦＤＤ等の記憶装置に対して、特別なインターフェースを使用すること無く、ストアすることができる。
【００７８】
一方、第２９図において、めくり搬送ベルト駆動制御ボード３１１は、めくり搬送ベルト駆動モータ６１の制御を行っている。
また、めくりユニット駆動制御ボード３１２は、めくりユニット駆動モータ６０の制御を行っている。
ここで、めくり搬送ベルト駆動モータ６１は、このめくり搬送ベルト駆動モータ６１に一体的に取付けられたエンコーダの発するエンコーダパルスのフィードバックによって、めくり搬送ベルト８の速度を検出し、その速度位置制御及び正逆転動作を行っている。
【００７９】
これに対し、めくりユニット駆動モータ６０は、めくりローラ２に取付けられているエンコーダ１５２の発するエンコーダパルスのフィードバツクによって、めくりローラ２の位置を検出し、その速度位置制御及び正逆転動作を行っている。
【００８０】
また、これらのめくり搬送ベルト駆動制御ボード３１１、及び、めくりユニット駆動制御ボード３１２は、メイン制御ボード３１０とそれぞれ接続されており、このメイン制御ボード３１０との間で、それぞれシリアル通信によりコマンドの送受信を行っている。
操作表示ボード３１３は、プリント置数、変倍率、ページめくり枚数、及び、各モード等を設定する各キー入力と、これらのキー入力に対する表示や、エラー表示、めくり状態表示、及び、各モードの原稿セット方法等の表示を行う。
【００８１】
ここで、モード表示においては、接続機器（プリンタ３００）の能力により可能なモードしか表示しないか、あるいは、不可能なモードが選択された場合にエラー表示を行う。
例えば、両面プリントのできないプリンタが接続されているにも拘らず、両面モード選択キー６１２のキー入力がなされた場合に、”接続のプリン夕は両面不可です”等のエラー表示が行われる。
また、原稿の読み取りは、この操作表示ボード３１３上のスタートキー６００のキー入力により開始される。
さらに、この操作表示ボード３１３と、メイン制御ボード３１０とは、シリアル通信によりコマンド、あるいは、データの送受信を行っている。
【００８２】
第１画像処理ボード３１４は、第１読み取りセンサユニット９に内蔵されているＳｉ等倍センサ３１５（以下これを第１ＣＣＤ３１５とする）のドライブクロックを発生する機能と、同じく第１読み取りセンサユニット９に内蔵されている第１ＬＥＤ３１６のＯＮ／ＯＦＦタイミングをとる機能と、第１ＣＣＤ３１５の出力を増幅し、この出力をＡ／Ｄ変換して画像処理を行う機能を有している。  また、この第１画像処理ボード３１４では、シェーディング補正、ＭＴＥ補正、主走査変倍、文字処理、写真処理、及び、ネガ・ポジ反転等の画像処理が行われる。
この第１画像処理ボード３１４は、メイン制御ボード３１０に接続されており、このメイン制御ボード３１０との間で、テータやコマンドを送受信している。第２画像処理ボード３１７は、上述の第１画像処理ボード３１４と同様に第２読み取りセンサユニット１４（第１読み取りセンサユニット９と同様に構成されている）に内蔵されている第２ＣＣＤ３１８のドライブクロックを発生する機能と、同じく第２読み取りセンサユニット１４に内蔵されている第２ＬＥＤ３１９のＯＮ／ＯＦＦタイミングをとる機能と、第２ＣＣＤ３１８の出力を増幅し、この出力をＡ／Ｄ変換して画像処理を行う機能を有している。
また、この第２画像処理ボード３１７では、第１画像処理ボード３１４と同様に、シェーディンク補正、ＭＴＦ補正、主走査変倍、文字処理、写真処理、及び、ネガ・ポジ反転等の画像処理が行われる。
さらに、この第２画像処理ボード３１７は、メイン制御ボード３１０に接続されており、このメイン制御ボード３１０との間で、データやコマンドを送受信している。
【００８３】
第１高圧電源３２０は、前述したように、第１バイアスローラ３に高圧交流電圧を印加する電源であって、原稿吸着用と、ベルト除電用の２通りの周波数を発生できるように構成されており、各周波数の切り換えは、メイン制御ボード３１０の２本の出力ポートからの切り換え信号により行われる。
また、第２高圧電源３２１は、第１高圧電源３２０と同様に、第２バイアスローラ１１に高圧交流電圧を印加する電源であって、原稿吸着用と、ベルト除電用の２通りの周波数を発生できるように構成されており、各周波数の切り換えは、メイン制御ボード３１０の２本の出力ポートからの切り換え信号により行われる。
【００８４】
給紙クラッチ１２８は、メイン制御ボード３１０からの制御信号に基づいて、シート原稿２００の給紙開始タイミングを制御している。
また、メイン制御ボード３１０の各入力ポートに接続されている各種センサ２５，２６，２７，２８，２９，３０，３１，３２，３３，３４は、前記の機構説明において述べた通り、モード切り換え、タイミング検知、及び、異常検知等を行っており、それぞれ、その検知信号をメイン制御ボード３１０に与えている。
【００８５】
次に、ＭＦＤＳの動作モードについて説明する。
ＭＦＤＳの動作モードは、大きく２つのモードに分けられている。
このＭＦＤＳの第１の動作モードは、第３０図に示すような、ブック原稿の自動ページめくり読み取り動作を行うブック原稿読み取りモードであり、第２の動作モードは、第３１図に示すような、シート原稿の自動給紙読み取り動作を行うシート原稿読み取りモードである。
【００８６】
これらのブック原稿読み取りモード、及び、シート原稿読み取りモードは、それぞれさらに細分化されたモードを持っている。
すなわち、ブック原稿読み取りモードには、第３０図に示すように、ブック原稿９２のブックサイズを自動的に認識する自動ブックサイズ認識モードと、操作表示ボード３１３のキー入力でブックサイズを指定するブックサイズキー入力モードとがある。
これらの、自動ブックサイズ認識モード、及び、ブックサイズキー入力モードでは、何れも、原稿面を上向きに見開いた状態でブック原稿９２をセットする見開き読み取りモードにより、ブック原稿９２に対する自動ページめくり読み取り動作が行われる。
さらに、このブック原稿読み取りモードは、その読み取り方式として、出力装置（特にプリンタ）と関連して、見開かれたブック原稿９２の左右２ページ分の原稿画像を連続して読み取り、この２ページ分の画像を１枚の転写紙上にプリントする見開き２ページ連続読み取りモードと、両面画像形成機能を有するプリンターを使用して、上述の見聞き２ページ連続読み取りモードにより左右２ページ分の原稿画像がプリントされた１枚の転写紙の裏面に、見開かれたブック原稿９２の次の左右２ページ分の読み取り画像を連続して形成する、この見開き２ページ連続読み取りモードの両面モードと、見開かれたブック原稿９２の左右面ページの原稿画像を１頁ずつ区切って読み取り動作を行う見開き１ページ区ぎり読み取りモードと、この見開き１ページ区ぎり読み取りモードによりプリントされた転写紙の裏面に、上記両面画像形成機能を有するプリンタにより、見開かれたブック原稿９２の次の左右両ページの原稿画像を１頁ずつ区切って形成する、この見開き１ページ区ぎり読み取りモードの両面モードとを有している。
【００８７】
一方、シート原稿読み取りモードには、第３１図に示すように、第１読み取りセンサユニット９、もしくは、第２読み取りセンサユニット１４の位置を固定した状態で、シート原稿２００を自動で給送・排出移動させながら、シートスルー方式により原稿画像の読み取りを行うシート原稿スルーモードと、原稿載置面１１６上にシート原稿２００をセット（定置）した状態で、ページめくり読取ユニット１の第１読み取りセンサユニット９を繰返し往復移動（スキャン）させて、シート原稿２００の読み取り動作を行うシート原稿スキャンモードと、自動原稿給送機能（ＡＤＦ）で原稿をセットできない（あるいはセットしない）場合に、手動で原稿をセットするシート原稿手動開閉モードとがある。
また、シート原稿スルーモードには、シート原稿２００の片面のみの画像を読み取る片面読み取りモードと、第１読み取りセンサユニット９及び第２読み取りセンサユニット１４で、シート原稿２００の両面の画像を同時に読み取る両面読み取りモードとがある。
さらに、この両面読み取りモードは、第１読み取りセンサユニット９及び第２読み取りセンサユニット１４を、互いに向き合った同一位置に配置して、原稿画像の読み取りを行う同一位置読み取りモードと、第１読み取りセンサユニット９及び第２読み取りセンサユニット１４を、互いにずらした別位置に配置して、原稿画像の読み取りを行う別位置読み取りモードとを有している。
【００８８】
以上、ＭＦＤＳの動作モードについて説明してきたが、次に、第３２図を参照しながら、上述した個々のモードの切り換えについて説明する。
第３２図において、ＭＦＤＳのメイン電源をＯＮすると、第２９図で示したメイン制御ボード３１０、めくり搬送ベルト駆動制御ボード３１１、めくりユニット駆動制御ボード３１２、操作表示ボード３１３、第１画像処理ボード３１４、第２画像処理ボード３１７が、それぞれリセットされて初期設定が行われる。  その後、プリンタ３００等の接続機器の接続をチェックし、この接続機器に対応可能なモードを表示する一方、プリント値数、変倍率、ページめくり枚数、及び、各モード等を設定する各キーの入力を受け付ける。
また、この間に、ブック原稿９２またはシート原稿２００のセットが行われる。
【００８９】
ここで、シート原稿２００が、シート原稿トレイ９４にセットされた場合には、シート原稿センサ２５がＯＮされる。
【００９０】
また、ここで、操作表示ボード３１３のオープンキー６２０によりＭＦＤＳの搬送部１９が開放され、その原稿載置面１１６の中央基準位置決め部２４に、ブック原稿９２が、見開かれた状態でセットされた場合には、ブック原稿センサ２７がＯＮされる。
これらのシート原稿センサ２５とブック原稿センサ２７のＯＮ／ＯＦＦの状態、及び、操作表示ボード３１３のテンキー６０２により入力されたシート原稿２００のプリント枚数を示すプリント置数に応じて、原稿画像の読み取りモードが、第３２図に示すように切り替わる。
すなわち、ここで、ブック原稿センサ２７がＯＦＦ、シート原稿センサ２５がＯＮで、且つ、プリント置数が「１」の場合には、シート原稿スルーモードへ遷移する。
また、ここで、ブック原稿センサ２７がＯＦＦ、シート原稿センサ２５がＯＮで、且つ、プリント置数が「２」以上の場合には、シート原稿スキャンモードへ遷移する。
さらに、ブック原稿センサ２７、及び、シート原稿センサ２５が、両方共○ＦＦの場合には、シート原稿手動開閉モードへ遷移する。
また、ブック原稿センサ２７がＯＮで、シート原稿センサ２５がＯＦＦの場合には、ブック原稿読み取りモードに遷移する。
さらに、ここで、ブック原稿センサ２７、及び、シート原稿センサ２５が、両方共ＯＮの場合には、異常処理１（警告ブザーＯＮ、及び、エラー表示）を行って、ユーザーに注意を促した後、ブック原稿読み取りモードに遷移する。
このようにして、それぞれ選択されたモードサブルーチンへ入った後、操作表示ボード３１３のスタートキー６００が押されていなければ、画像読み取り動作を実行せずに、キー入力を受け付けるステップにリターンされる。
【００９１】
次に、上述した、各モードの動作について、説明する。
先ず、第３３図を参照して、ブック原稿読み取りモードについて説明する。  ＭＦＤＳのモードが、ブック原稿読み取りモードに入ると、スキャンカットオフセンサ３４のＯＮ／ＯＦＦのチェックが行われる。
このスキャンカットオフセンサ３４は、第４図に示したように、ページめくり読取ユニット１が、その上限位置まで上昇したときに、その上限検知部７６を検知してＯＮされる。
ページめくり読取ユニット１は、前述したように、原稿載置面１１６上に載置されたブック原稿９２の厚さに応じて上下動される。
このページめくり読取ユニット１の上昇、すなわち、ブック原稿９２の厚さが厚くなるに従って、これを駆動するめくり搬送ベルト８のテンションが高くなる。
従って、このめくり搬送ベルト８のテンションが高くなりすぎると、つまり、ブック原稿９２が厚すぎてページめくり読敢ユニット１が上昇しすぎると、このテンションがブレーキとなって、ページめくり読取ユニット１のスキャンができなくなる。
スキャンカツトオフセンサ３４は、このような、ブック原稿９２が厚すぎて、ページめくり読取ユニット１がスキャンできないレベルを検知している。
このスキャンカットオフセンサ３４がＯＮの場合には、異常処理２（警告ブザーのＯＮと、”ブック原稿が厚すぎます”のエラー表示）を行って、ユーザーが無理に搬送部１９を閉じて、この搬送部１９を破損することがないようにしている。
ここで、ブック原稿９２の厚さが適応レベル以下の場合には、ユーザーにより搬送部１９が閉じられることによって、搬送部ロックセンサ３１がＯＮされる。
このとき、搬送部１９が開いたまま、すなわち、搬送部ロックセンサ３１がＯＦＦのままであれば、異常処理３（警告ブザーのＯＮと、“搬送部を閉じて下さい”の表示）が行われる。
そして、この搬送部１９が閉じられると、ブックサイズ上限センサ３３のＯＮ／ＯＦＦのチェックが行われる。
ここで、ブックサイズ上限センサ３３が、ブック原稿９２のブックサイズを検知してＯＮされている場合、すなわち、原稿載置面１１６にセットされているブック原稿９２のブックサイズが、ページめくり読取ユニット１の読み取り領域を越えた読み取り不可能なブックサイズの場合には、異常処理４（警告ブザーのＯＮと、”ブック原稿のサイズが大きすぎます”の表示）が行われる。
【００９２】
その後、プリント置数、変倍率、めくり枚数のキー入力の有無のチェックが行われた後、自動ブックサイズ認識モードの場合には、プレスキャンプラグがセットされ、自動ブックサイズ認識モードでない場合には、ブックサイズ入力モードとなり、操作表示ボード３１３により所定のキー入力を行ってブックサイズを設定することにより、ブック原稿９２の読み取り領域が決定される。
そして、スタートキー６００が押されることにより、搬送部ロック装置１４０が作動して、搬送部１９が原稿台１８にロックされる。
これにより、ページめくり読取ユニット１によるページめくり動作中に、ユ、ザーが間違って搬送部１９を開放して、ブック原稿９２を破損するような事態が回避される。
【００９３】
次いで、この搬送部ロック装置１４０の作動後、前述したプレスキャンフラグがセットされている場合には、ページめくり読取ユニット１のプレスキャン動作が実行される。
ここで、プレスキャンプラグがセットされていない場合には、このプレスキャン動作がスキップされる。
このプレスキャン動作後は、接続機器（プリンタ３００）の準備が整うまで待機される。
そして、この接続機器（プリンタ３００）の準備が整った段階で、接続機器（プリンタ３００）から出力される読み取り開始信号を受けると、ページめくり読取ユニット１が駆動されて、前述したように、ブック原稿９２の原稿画像の読み取り動作が開始される。
このページめくり読取ユニット１による読み取り動作は、前に設定されているプリント置数に応じた回数だけ、繰り返して行われる。
そして、この所定回数の読み取り動作が完了すると、次ページの原稿画像の読み取り動作を行うべく、前述したように、ページめくり読取ユニット１によって、ページめくり動作が実行される。
このようにして、ブック原稿９２の原稿画像の読み取り動作、及び、ページめくり動作は、それぞれ、予め設定された置数に応じて、その最終ページかめくられるまで、繰り返し実行される。
そして、予め設定された最終めくりペーシのページめくり動作が完了し、且つ、最終読み取りページに対する所定回数の読み取り動作が完了すると、この最終読み取りページのページめくり動作を行わずに、ページめくり読取ユニット１が、そのホームポジション位置１−Ａに復帰されて、このブック原稿読み取りモードルーチンがリターンされる。
ブック原稿読み取りモードの基本動作は、以上の第３３図に示すフローチャートの通りであるが、このモード中の前述した、見開き２ページ連続読み取りモードと、その両面モード、及び、見開き１頁区切り読み取りモードと、その両面モードは、第３２図のキー入力セット時に受け付けた入力モードとなる。
これらの各入力モードについては、スタートキー６００が押されてからの経過を示すタイミングチャートを参照して説明する。
【００９４】
先ず、第３４図に示すタイミングチャートを使用して、見開き２ページ連続読み取りモードについて説明する。
第３４図において、操作表示ボート３１３のスタートキー６００が押されて、読み取りスタートスイッチＳＷがＯＮされると、第１読み取りセンサユニット９内のシャツ夕（図示せず）が閉じる。
このシャツ夕の内面は、白色基準板になっていて、これにより、第１読み取りセンサユニット９のシェーディング補正が行われる。
このシェーディング補正は、ページめくり読取ユニット１の立上り時に毎回行われ、ページめくり読取ユニット１の移動速度が一定速度になる前に完了される（この部分のタイミングチャートは図示せず）。
このページめくり読取ユニット１のスタートは、メイン制御ボード３１０から、めくり二ニット駆動制御ボード３１２へ送られる正転スタート信号によって行われる。
この正転スタート信号により、ページめくり読取ユニット１が、プレスキャンを開始する。
ここで、ページめくり読取ユニット１の移動速度が一定速度Ｖｆに立ち上がった後は、前述のシャツ夕が既に開かれており、第１ＣＣＤ３１５により、ブック原稿９２の原稿画像の読み取りが開始されている。
このページめくり読取ユニット１のプレスキャン時の読み取りにより、見開かれたブック原稿９２の端部を画像処理でエッジ検出し、このときのめくりローラ２に取付けられたエンコーダー１５２の出力をカウントすることによって、原稿載置面１１６にセットされたブック原稿９２のブックサイズを認識して、ページめくり読取ユニット１の原稿画像の読み取り領域、及び、ページめくり領域を決定する。
【００９５】
このように、このＭＦＤＳは、ブック原稿９２が原稿載置面１１６のセンターを基準としてセットされるように構成されているので、このセットされたブック原稿９２の左端部のみを検出することによって、そのページめくり読取ユニット１の原稿画像の読み取り領域、及び、ページめくり領域を算出することができる。
【００９６】
従って、このＭＦＤＳでは、ブック原稿９２のブックサイズ検知に際して、ページめくり読取ユニット１を全面プレスキャンさせる必要がなく、ページめくり読取ユニット１をショートプレスキャンさせるだけで、原稿載置面１１６上に載置されたブック原稿９２のブックサイズを検知することができる。
これにより、このページめくり読取ユニット１のプレスキャン時に、ブック原稿９２の読み取り開始ページを誤ってページめくりすることがなくなる。
このブック原稿９２のブックサイズデータは、メイン制御ボード３１０から、外部接続機器としてのプリンタ３００に送信される。
【００９７】
一方、このブックサイズ検知が完了し、そのブックサイズデータがプリンタ３００に送信されている間に、メイン制御ボード３１０から、めくりユニット駆動制御ボード３１２に対して、めくりユニット駆動モータ６０を逆転させる逆転信号が与えられ、ページめくり読取ユニット１が速度Ｖｒの速さで、そのホームポジション位置１−Ａに向けて復帰移動される。
なお、このＭＦＤＳの原稿台１８の原稿載置面１１６を、有彩色、例えば、黄色などのような、ブック原稿としてあまり使用されていないような有彩色で着色しておくことにより、この原稿載置面１１６と、ブック原稿９２の原稿画像の読み取り領域との、領域識別精度を高めることができるので、上述のプレスキャン時におけるブックサイズ検知をより正確に行うことができ、そのブックサイズデータの信頼性が向上される。
また、ここで、原稿載置面１１６を、例えば、灰色などの中間色で着色しておけば、第１読み取りセンサユニット９の第１ＣＣＤ３１５として、カラーセンサを使用せずに、プレスキャン時の領域識別が可能となる。
【００９８】
上述のプレスキャンが終了して、ページめくり読取ユニット１がホームポジション位置１−Ａに退避した後、プリンタ３００の準備ができて、プリンタ３００からメイン制御ボード３１０に対し、データの転送を要求する転送要求信号が与えられると、これにより、メイン制御ボード３１０から、めくりユニット駆動制御ボード３１２に対して、めくりユニット駆動モータ６０を正転させる正転信号が与えられ、ページめくり読取ユニット１の正転動作が開始される。
このページめくり読取ユニット１は、前述したように、めくりローラ２のエンコーダ１５２の出力がフィードバックされることによって、ブック原稿９２の原稿面に治って、速度Ｖｆの速さに定速度制御されて、そのエンドポジション位置１−Ｃに向けて移動される。
このとき、第１読み取りセンサユニット９のＬＥＤ３１６は、既に点灯されており、この第１読み取りセンサユニット９の第１ＣＣＤ３１５により、フック原稿９２の原稿情報の読み取りが開始されている。
【００９９】
ここで、第１図に示すように、原稿載置面１１６上に見開かれてセットされたブック原稿９２の綴じ部（センター部）付近は、原稿面の反りがきついため、この綴じ部付近の原稿情報を正確に読み取ることが困難となる。
また、このブック原稿９２の綴じ部付近には、通常、文字や画像等の原稿情報が形成されることがない。
そこで、このＭＦＤＳでは、第３４図に示すように、このブック原稿９２の綴じ部付近において、第１ＣＣＤ３１５の読み取りＳＦＧＡＴＥがＯＦＥされ、この綴じ部付近の原稿情報の読み取りがマスクされるようになっている。
この原稿情報の初期設定時におけるマスク領域は、前述したように、中央基準位置決め部２４のセンターより十１０ｍｍ、一１０ｍｍとなるように設定されているが、このマスク領域は、操作表示ボード３１３のブック綴じ部マスク領域設定キー６０８のキー入力によって、その設定値を変更し得るようになっており、特殊な装丁のブック原稿にも対応できるようになっている。
ところで、第１読み取りセンサユニット９によるブック原稿９２の原稿情報の読み取りは、ページめくり読取ユニット１がそのエンドポジション位置１‐Ｃに至るまで行われるが、このページめくり読取エニット１が、ブック原稿９２のセンター付近に到達した時点で、第１高圧電源３２０が周波数ｆ１てＯＮされる。これにより、めくり搬送ベルト８のブック原稿９２の右側のページに当接する部分に、前述した電荷パターンが形成される。
このめくり搬送ベルト８は、上述のように、ペ一ジめくり読取ユニット１が駆動されているときには駆動されず、ブック原稿９２を押える働きをしている。
【０１００】
このようにして、ページめくり読取ユニット１が、そのエンドポジション位置１−Ｃまで駆動されて、ブック原稿９２の右端部の読み取り領域までの原稿情報の読み取りが終了すると、第１高圧電源３２０の出力がＯＦＦされるとともに、メイン制御ボード３１０からめくりユニット駆動制御ホード３１２に対して、めくり信号が与えられ、ページめくり読取ユニット１によるブック原稿９２のぺージめくり動作が開始される。
このとき、この第１読み取りセンサユニット９の読み取った原稿面が、予め設定されたブック原稿９２の最終読み取りペーシに相当している場合には、メイン制御ボ一ド３１０からめくり信号が出力きれず、このページめくり読取ユニット１は、このブック原稿９２の最終読み取りページの読み取りを終えた後、上述のページめくり動作を行わずに復帰移動されて、そのホームポジション位置１ーＡに退避される。
ブック原稿９２のページめくり動作時において、ページめくりセンサ２９がＯＮされるまでの間は、ペーシめくり読取ユニット１の逆転動作がスロースタートされ、めくり搬送ベルト８上に静電的に吸着されたブック原稿９２の読み取り終了ページ（第１図における右ページ）が、そのページ収納部７内に導かれる。
【０１０１】
そして、ページめくり読取ユニット１が、そのホームポジション位置１ーＡに向けて、さらに復帰移動され、このブック原稿９２の読み取り終了ページのセンター部分までがページ収納部７内にめくり込まれる。
また、このページめくり読取ユニット１のページめくり動作時においては、めくり搬送ベルト８の原稿吸着領域の電荷パターンを除電するために、第１高圧電源３２０が周波数ｆ２でＯＮされる。
【０１０２】
このようにして、ページめくり読取ユニット１のページ収納部７内にめくり込まれたブック原稿９２の読み取り終了ページは、ページめくり読取ユニット１が、ブック原稿９２のセンター部を越してから、そのエンドポジション位置１−Ｃに至る間に、ページ収納部７内から排出されて、そのページめくり動作が完了する。
【０１０３】
このページ排出時におけるページめくり読取ユニット１のリターン速度Ｖｒｍは、その原稿読み取り時における速度Ｖｆよりも大きくなるように、すなわち、Ｖｒｍ＞Ｖｆとなるように設定されており、このページめくり動作の高速化が図られている。
この１連のページめくり動作の状態は、ペーシめくりセンサ２９により検知されている。
すなわち、このＭＦＤＳは、ページめくり読取ユニット１の各位置におけるページめくりセンサ２９のＯＮ／ＯＦＦがチェックされることにより異常の有無が検出され、異常がある場合に、異常処理動作が実行される。
この異常処理動作としては、警告ブザーが作動されるとともに、例えば、ページ収納部７へ原稿ページをめくり込めない場合には、”ペーシめくり不能”、ページ収納部７にめくり込まれた原稿ページを排出できない場合には、“ページ重ね不能”等の表示が、操作表示ボード３１３に表示され、さらに、このページめくり動作が停止される。
また、この異常が発生したページめくり状態をユーザーが確認できるようにするために、このペーシめくり状態の異常発生箇所が、操作表示ボード３１３に表示される。
【０１０４】
以下、ブック原稿９２の２ページ目以降の原稿画像の読み取り、及び、ページめくり動作は、プリンタ３００からの転送要求信号によって、順次スタートされ、上述と同様の読み取り動作、及び、ページめくり動作が、予め設定された最終読み取りぺ−ジに至るまで、繰り返し実行される。
ここで、第３４図のタイミングチャートでは、原稿のプリント置数を「１」とした場合、すなわち、ブック原稿９２の各読み取りページを、それぞれ１回読み取る毎に、この読み取りを終えたページのめくり動作を実行する場合について示したが、この原稿のプリント置数が「２」以上に設定されている場合には、第１読み取りセンサユニット９による第１回目の原稿読み取り動作が完了した時点で、メイン制御ボード３１０からめくりユニット駆動制御ボード３１２に対して、めくり信号の代わりに逆転信号が送信され、ページめくり読取ユニット１が速度Ｖｒでの速さで、そのホームポジション位置１−Ａに向けてリターンされ、このリターン動作が終えると同時に、このページめくり読取ユニット１の第２回目の原稿読み取り動作がスタートされる。
そして、このようなページめくり読取ユニット１の原稿読み取り動作が、予め設定された原稿のプリント置数の回数分だけ、繰り返し実行され、この動作の回数とプリント置数とが一致した時点で、初めて、メイン制御ボード３１０からめくりユニット駆動制御ボード３１２に対して、めくり信号が送信され、上述したページめくり動作が実行される。
【０１０５】
以下、ブック原稿９２の２ページ目以降の原稿画像の読み取り、及び、ページめくり動作は、プリンタ３００からの転送要求信号によって、順次スタートされ、上述と同様のプリント置数に応じた回数の読み取り動作、及び、ページめくり動作が、予め設定された最終読み取りページに至るまで、繰り返し実行される。また、ここで、プリント変倍キー６１４により、読み取った原稿画像が変倍されるように設定されている場合には、第１読み取りセンサユニット９のスキャン速度Ｖｆが、その変倍率に応じた速度に可変されることによって、この原稿画像の副走査方向の変倍がなされるとともに、第１画像処理ボード３１４によって、この原稿画像の主走査方向の変倍処理がなされる。
【０１０６】
一方、上述のような、見開き２ページ連続読み取りモードの両面モードにおいては、プリンタ３００が原稿画像の両面プリントを行なうために、このプリンタ３００からのメイン制御ボード３１０への転送要求信号の送信タイミングが多少遅れる点は異なるが、それ以外の動作に関しては、前述した見開き２ページ連続読み取りモードと同様の動作が実行される。
【０１０７】
次に、第３５図を参照して、見開き１ページ区切り読み取りモードについて説明する。
この見開き１ページ区切り読み取りモードは、見開かれたブック原稿９２の左ページと、右ページとを別々に読み取って、画像形成を行なうモードで、これらの各画像を別々の転写紙にプリントするモードと、１枚の転写紙の表裏にプリントするモ−ド（この見開き１ページ区切り読み取りモードの画面モード）とがある。
また、このモードにおいては、ブック原稿９２の左ページから読み取る動作と、右ページから読み取る動作との、何れか一方の動作を、操作表示ボード３１３の読み取り開始ページ選択キー６０３のキー入力により選択設定することができる。
【０１０８】
第３５図は、ブック原稿９２の向かって左ページから読み取りを開始する場合のタイミングチャートを示している。
この見開き１ページ区切り読み取りモードの動作は、前述した見開き２ページ連続読み取りモードの両面モードの動作と略同じであり、この見聞き２ページ連続読み取りモードの両面モードの動作と異なる点としては、プリンタ３００からメイン制御ボード３１０への転送要求信号が、１ページ毎に送信される点であって、これにより、ページめくり読取ユニット１が、ブック原稿９２の左ページから右ペーシに向けて等速で移動（スキャン）される。
【０１０９】
第３６図は、この見開き１ページ区切り読み取りモードにおいて、ブック原稿９２の右ページから読み取りを開始するように、セットされている場合のタイミングチャートを示している。
このタイミングチャートから明らかなように、ブック原稿９２の右ページから読み取りが開始される場合には、このブック原稿９２の読み取りが行なわれない左ページに対するページめくり読取ユニット１の移動速度が、右ページに対する第１読み取りセンサユニット９のスキャン速度Ｖｆよりも速い速度となるようにプログラムされていて、原稿読み取り時間の短縮化、すなわち、読み取り機能の性能アップが図られている。
また、この見開き１ページ区切り読み取りモードにおいて、読み取りスキップページ設定キー６１８により、スキャンをせずに読み飛ばす（スキップする）ページが設定されている場合には、この読み取りスキップページシに対するページめくり読取ユニット１が、読み取りを行なう時の第１読み取りセンサユニット９のスキャン速度Ｖｆよりも速い速度で移動されて、直ちに、この読み取りスキップページのめくり動作が実行されるようにプログラムされている（タイミングチャートは図示せず）。
ところで、一般的には、第３５図及び第３６図に示したように、プリンタ３００からメイン制御ボード３１０に対して、通常状態で連続して転送要求信号を要求できるプリンタは少ない。
【０１１０】
そこで、このような一般的なプリンタを使用して、この見開き１ページ区切り読み取りモードを実施する場合には、このプリンタ側において、２枚の転写紙を重連するように給紙させることによって実現させることができる。
また、ここで、転写紙と感光体ドラムとのレジストの関係上、これらの２枚の転写紙間に、どうしても、ある程度の距離を設けなければならないような場合には、ブック原稿９２の左ページ側の画像データはそのままプリンタに流し、ブック原稿９２の右ページ側の画像データは、ディレーメモリを通して、これら転写紙間の距離に相当する時間だけ、プリンタへの転送タイミングを遅延させることにより実現させることができる。
この後者の場合の一例のブロック図を第３７図に、また、そのタイミングチャートを第３８図に示す。
この例では、メイン制御ボード３１０上の内部の各ゲートＡ，Ｂにより、切り換え器を通してプリンタへそのまま出力される画像データに対して、ティレーメモリを通してプリンタへ出力される画像データが、時間Ｔｄだけ遅延されるように構成されている。
【０１１１】
次に、この見開き１ページ区切り読み取りモードにおける両面モードについて説明する。
先ず、見開かれたブック原稿９２の左右２ページの画像データを１枚の転写紙の表裏にプリントする場合について説明する。
この場合には、プリンタ３００側において、転写紙を反転搬送する必要があるため、その左ペーシの画像データのプリントを終えてから、右ペーシの画像データのプリントを開始するまでに、多少の時間が掛る。
このため、このモードでは、ページめくり読取ユニット１がブック原稿９２の左ページの読み取りを終えて、その綴じ部付近に到達した時点で、このページめくり読取ユニット１の駆動が一旦停止される。
そして、プリンタ３００側での左ページ画像のプリント、及び、この転写紙の反転搬送が完了し、プリンタ３００からメイン制御ボード３１０に転送要求信号が出されると、停止されていたページめくり読取ユニット１が再び所定のスキャン速度Ｖｆで駆動されて、ブック原稿９２の右ページの読み取りが行なわれ、この右ページの画像データがプリンタ３００に転送されて、表面に左ページ画像のプリントされた転写紙の裏面に、この右ページ画像がプリントされて、両面プリントが行なわれる。
この時の、タイミングチャートを第３９図に示す。
【０１１２】
次に、この見開き１ページ区切り読み取りモードにおいて、プリントされた転写紙の表裏と、ブック原稿９２の原稿面の表裏との関係を、一致させて画像形成する場合の両面モードについて説明する。
このモードにおいて、ブック原稿９２の左ページから読み取りを開始する場合には、前述したように、プリンタ３００に対して、２枚連続給紙を行なうように指示し、左ページ画像のプリントされた転写紙はそのまま排紙させる一方、右ページ画像のプリントされた転写紙は反転搬送させて、その裏面にフック原稿９２の次ページの左ページ画像をプリントするための準備を行なっておく。
この間に、ＭＦＤＳ側においては、読み取りを終えた原稿ページのページめくり動作が行なわれる。
このＭＦＤＳ側でのページめくり動作が完了されると、次ページに対する読み取り動作が実行され、前に、右ページ画像がプリントされて反転搬送された転写紙の裏面に、読み取られた左ペーシ画像がプリントされて排出される。
また、この時読み取られた右ページ画像は、新たに給紙された転写紙にプリントされる。
この転写紙は、先の転写紙と同様に、反転搬送きれて、その裏面にブック原稿９２の次ページの左ページ画像をプリントするための準備が行なわれる。
このような１連の動作が繰り返し実行されることにより、ブック原稿９２と全く同様なページ構成の原稿画像がプリントされた転写紙が得られる。
以上が、ブック原稿読み取りモードにおける動作の一例である。
【０１１３】
ここで、見聞き読み取りモードにおけるブック原稿のセットについて説明する。
第２９図の接続機器チェックにおいて、プリンタ３００が裏面排紙可能な場合には、次のような表示が行なわれる。
すなわち、
”ブック原稿が横書き（左開き）ならば、読み取りたい先頭ページを見開いて正面上向きにセットして下さい。”
“ブック原稿が縦書き（右開き）ならば、読み取りたい先頭ページを見開いて天地逆上向きにセットして下さい。”
のように、ブック原稿の横書き、縦書きに対する、それぞれのセット方法が指示される。
【０１１４】
これに対し、第２９図の接続機器チェックにおいて、プリンタ３００が表面排紙のみ可能な場合には、次のような表示が行なわれる。
すなわち、
”ブック原稿が横書き（左開き）ならば、読み取りたい最終ページを見開いて天地逆上向きにセツトして下さい。”
”ブック原稿が縦書き（右聞き）ならば、読み取りたい最終ページを見開いて正面上向きにセットして下さい。”
のように、ブック原稿の横書き、縦書きに対する、それぞれのセット方法が指示される。
このＭＦＤＳでは、上述のような指示に従って、ブック原稿９２をセットすることにより、これに接続されるプリンタ３００の機能に関わらず、排出される転写紙のページ揃えを行なうことができる。
また、このＭＦＤＳにおけるページめくり枚数の入力方法には、操作表示ボード３１３のキー入力による２通りの入力方法があり、これらの入力方法の内の何れか１つを、ユーザーが好みによって選択できるようになっている。
この人力方法の一つは、読み取り総ページ設定キー６０６等を使用して、読み取りたい総ページ数を設定する方法であり、他の入力方法は、読み取り開始ページ設定キー６０４、読み取り最終ぺ一ジ設定キー６０５等を使用して、読み取りたい先頭ぺージと、最終ページを入力する方法である。
このＭＦＤＳにおけるぺージめくり枚数の入力は、上記の何れの方法で行なうにせよ、ページめくり続取ユニット１のページめくり回数を正確に算出できればよい。
【０１１５】
以下、上述の各方法におけるページめくり回教の算出方法について説明する。
先ず、読み取りたい総ページ数を入力した場合について説明する。
ここで、読み取りたい総ページ数をＸとし、めくり回数をＭとすれば、
左ページから続み取る場合には、
（Ｘ一２）／２＝Ｍ＋余り    …▲１▼
右ページから読み取る場合には、
（Ｘ−１）／２＝Ｍ＋余り    …▲２▼
となり、これらの式よりＭの値を算出する事により、そのめくり回数が求められる。
次に、読み取りたい先頭ページと、最終ページを入力した場合について説明する。
ここで、読み取りたい先頭ページをＹ、最終ページをＺととし、読み取りたい総ページ数をＸとすれば、
Ｘ＝Ｚ−Ｙ＋１    …▲３▼
となり、この▲３▼式を、前記の▲１▼式、▲２▼式に代入することにより、めくり回数Ｍを算出する事ができる。
ところで、このＭＦＤＳは、前述したように、１台の装置で、ブック原稿と、シート原稿とを選択的に読み取って、その画像形成を行うことができるように構成されている。
ブック原稿に関する画像読み取りモードは、上述した通りであり、以下、このＭＦＤＳにおけるシート原稿の画像読み取りモードについて説明する。
このシート原稿の読み取りモードには、第３１図に示したように、シート原稿スルーモードと、シート原稿スキャンモードと、シート原稿手動開閉モードとがある。
【０１１６】
先ず、シート原稿スルーモードについて説明する。
このシート原稿スルーモードには、片面原稿読み取りモードと、両面原稿読み取りモードとがあり、この両面原稿読み取りモードに、同一位置読み取りモードと、別位置読み取りモードとがある。
これらのモードの選択は、第４０図に示すように行われる。
先ず、片面原稿読み取りモードでは、第４１図、及び、第４２図に示すように、シート原稿トレイ９４に、シート原稿２００が下向きにセットされ、この状態で、スタートキー６００が押されると、先ず、めくり搬送ベルト駆動モータ６１の電源がＯＮされ、駆動ローラ１２が回転されて、めくり搬送ベルト８が回動される。
【０１１７】
このとき、各センサと、各入力データに異常がなければ、給紙クラッチ１２８がＯＮされ、第１ベルト支持ローラ９７に取付けられた第２給紙プーリ１３０から給紙駆動ベルト１２７を介して、給紙ローラ９６が回転され、シート原稿２００が給紙分離パッド９５に向けて搬送される。
この給紙分離パッド９５よって、最下位の１枚だけのシート原稿２００が他のシート原稿から分離され、第１搬送ガイド１０８及び第２搬送ガイド１０９に案内されながら、めくり搬送ベルト８に接する位置まで搬送される。
ここで、この第２搬送ガイド１０９には、給紙センサ２６が取付けられており、この給紙センサ２６によって、シート原稿２００の後端が検知された後、給紙クラッチ１２８がＦＦされるように、シート原稿２００の搬送タイミングが設定されている。
一方この間に、このめくり搬送ベルト８の回転とともに、第２バイアス口−ラ１１に交流電源３５から交流の高電圧が印加されて、めくり搬送ベルト８にストライプ状の電荷パターンが形成される。
これにより、このめくり搬送ベルト８によって、給紙されたシート原稿２００が吸着されて搬送される。
このときのめくり搬送ベルト８の線速は、等倍時では３６０ｍｍ／ｓに、変倍時ではその設定倍率に応じて変化されるようになっている。
【０１１８】
一方、このモードでは、ページめくり読取ユニット１が、そのエンドポジション位置１−Ｃに位置しており、その第１読み取りセンサユニット９によって、めくり搬送ベルト８により搬送されたシ一ト原稿２００の原稿情報が順次読み取られる（画素密度は４００ｄｐｉ）。
そして、この読み取りを終えたシート原稿２００は、第３搬送ガイド１１０及び第４対向ローラ１０３，第５対向ローラ１０４，第６対向一ラ１０５，第７対向ローラ１Ｏ６により、挟持搬送されて、排紙口１１７から排紙トレイ２３上に排紙される。
この排紙口１１７の近傍の第３搬送ガイド１１０には、排紙センサ２８が取付けられていて、この排紙されるシート原稿２００の排紙ジャムが検知されている。
【０１１９】
そして、１枚目のシート原稿２００の読み取り動作が完了されると、次に、所定の給紙タイミングで、船紙クラッチ１２８が再びＯＮされ、２枚目のシート原稿２００が給紙されて、上述と同様な読み取り動作が実行される。
このようにして、シート原稿トレイ９４にセットされたシート原稿２００が順次給送されて読み取られ、最後の（最上位の）シート原稿２００が給紙されて、シート原稿センサ２５がＯＦＦすると、第２バイアスロ−ラ１１の電源が高周波交流電圧に切り替えられ、めくり搬送ベルト８の電荷パターンが除電されて、この最終のシート原稿２００が排紙された後、ＭＦＤＳの全ての動作が停止される。
【０１２０】
以上の読み取り動作は、このＭＦＤＳに裏面排紙機能を有するプリンタが接続されている場合の動作であり、これにより、シート原稿２００及びプリントされた転写紙のページ揃え排紙が実現される。
【０１２１】
ここで、このＭＦＤＳに接続されているプリンタが表面排紙機能しか有していない場合には、シート原稿トレイ９４上に、シート原稿２００を上向きにセットして、第２読み取りセンサユニット１４によって、このシート原稿２００の読み取りを行うことにより、上述した裏面排紙機能を有するプリンタの場合と同様に、シート原稿２００及びプリントされた転写紙のページ揃え排紙が実現される。また、この表面排紙機能を持ったプリンタが接続されている場合におけるその他の動作は、裏面排紙機能を有するプリンタが接続されている場合と同様である。
【０１２２】
次に、このシート原稿スルーモードにおける両面原稿読み取りモードについて説明する。
この両面原稿読み取りモードでは、横書きのシート原稿が、その原稿先端から下向きにして、シート原稿トレイ９４上にセットされる。
これは、第１読み取りセンサユニット９及び第２読み取りセンサユニット１４がメモリーを持っていないため、その主走査方向でのミラー反転しか用いることができないことによる。
【０１２３】
先ず、この両面原稿読み取りモードにおける同一位置読み取りモードの基本動作は、第４３図、及び、第４４図に示すように、片面原稿読み取りモードの掲合と同様であるが、このモードでは、ページめくり読取ユニット１が、そのホームポジション位置１−Ａに位置されて、原稿台１８がわの第２読み取りセンサユニット１４の位置と同一位置で、シート原稿２００の表裏両面の原稿情報の読み取りが、これらの第１読み取りセンサユニット９、及び、第２読み取りセンサユニット１４によって、同時に平行して実行される。
一方、この両面原稿読み取りモードにおける別位置読み取りモードの基本動作は、第４５図、及び、第４６図に示すように、片面原稿読み取りモードの場合と同様であるが、このモ‐ドでは、ページめくり読取ユニット１が、そのエンドポジション位置１ーＣに位置されている。
ここで明らかなように、この別位置読み取りモードでは、第１読み取りセンサユニット９と、第２読み取りセンサユニット１４との読み取り位置の間隔が、最大サイズの原稿の長さよりも大きくなるため、これらの第１読み取りセンサユニット９及び第２読み取りセンサユニット１４に読み取られたシート原稿２００の表裏両面の原稿情報が、時系列的に出力される。
【０１２４】
次に、シート原稿読み取りモードにおけるシートスキャンモードについて説明する。
このシートスキャンモードでは、第４７図、及び、第４８図に示すように、シート原稿トレイ９４に、シート原稿２００が上向きにセットされ、この状態で、スタートキー６００が押されると、先ず、めくり搬送ベルト駆動モータ６１の電源がＯＮされ、駆動ローラ１２が回転されて、めくり搬送ベルト８が回動される。
このとき、各センサと、各入力データに異常がなければ、給紙クラッチ１２８がＯＮされ、第１ベルト支持ローラ９７に取付けられた第２給紙プーリ１３０から給紙駆動ベルト１２７を介して、給紙ローラ９６が回転され、シート原稿２００が給紙分離パッド９５に向けて搬送される。
この給紙分離パッド９５によって、最下位の１枚だけのシート原禍２００が他のシート原稿から分離され、第１搬送ガイド１０８及び第２搬送ガイド１０９に案内されながら、めくり搬送ベルト８に接する位置まで搬送される。
ここで、この第２搬送ガイド１０９には、給紙センサ２６が取付けられており、この給紙センサ２６によって、シート原稿２００の後端が検知された後、給紙クラッチ１２８がＯＦＦされるように、シート原稿２００の搬送タイミングが設定されている。
一方この間に、このめくり搬送ベルト８の回転とともに、第２バイアスローラ１１に交流電源３５から交流の高電圧が印加されて、めくり搬送ベルト８にストライプ状の電荷パターンが形成される。
これにより、このめくり搬送ベルト８によって、給紙されたシート原稿２００が吸着されて搬送される。
このときのめくり搬送ベルト８の線速は、３６０ｍｍ／ｓに設定されており、シート原稿２００の先端がホームポジション位置１−Ａに到達したときに、めくり搬送ベルト８の回働が停止されるようになっている。
【０１２５】
一方、このモードでは、ページめくり読取ユニット１が、そのホームポジション位置１−Ａに位置しており、めくり搬送ベルトＳの回動が停止された後に、ページめくり読取ユニット１がめくりユニット駆動モータ６０によって、そのエンドポジション位置１ーＣに向けて移動されながら、その第１読み取りセンサユニット９によって、めくり搬送ベルト８により搬送されたシート原稿２００の原稿情報が順次読み取られる（画素密度は４００ｄｐｉ）。
この原稿情報の読み取り時には、第１バイアスローラ３に、第１高圧電源３２０により高周波交流電圧が印加され、めくり搬送ベルト８に形成されていた電荷パターンが除電される。
これにより、ページめくり読取ユニット１の復帰移動時におけるシート原稿２００のページめくり読取ユニット１内への進入が防止されている。
このようにしてシート原稿２００の読み取りを終えたページめくり読取ユニット１は、そのホームポジション位置１−Ａに向けてリターンされる。
また、このページめくり読取ユニット１のリターン時には、第１読み取りセンサユニット９がシート原稿２００の原稿面から上方に退避されるとともに、第１バイアスローラ３に第１高圧電源３２０から高圧交流電圧が印加されて、めくり搬送送ベルト８にストライプ状の電荷パターンが形成されて、このシート原稿２００がめくり搬送ベルト８に吸着されて固定される。
そして、上述のような動作がその設定回数だけ繰り返された後、めくり搬送ベルト駆動モータ６１がＯＮされて、めくり搬送ベルト８が回動され、この読み取りを終えたシート原稿２００が、排紙口１１７から排紙トレイ２３上に排紙される。
この排紙口１１７の近傍の第３搬送ガイド１１０には、排紙センサ２８が取付けられていて、この排紙されるシート原稿２００の排紙ジャムが検知されている。
そして、１枚目のシート原稿２００の読み取り動作が完了されると、次に、所定の給紙タイミングで、給紙クラッチ１２８が再びＯＮされ、２枚目のシート原稿２００が給紙されて、上述と同様な読み取り動作が実行される。
このようにして、シート原稿トレイ９４にセットされたシート原稿２００が順次給送されて読み取られ、最後の（最上位の）シート原稿２００が給紙されて、シート原稿センサ２５がＯＦＦすると、第２バイアスローラ１１の電源が第２高圧電源３２１の高周波交流電圧に切り替えられ、めくり搬送ベルト８の電荷パターンが除電されて、この最終のシート原稿２００が排紙された後、ＭＦＤＳの全ての動作が停止される。
【０１２６】
次に、このシート原稿スルーモードにおけるシート原稿手動開閉モードについて説明する。
このシート原稿手動開閉モードの動作は、第４９図、及び、第５０図に示すように、上述したシート原稿スキャンモードの動作における、シ−ト搬送手段、及び、シート吸着用の各電源をそれぞれＯＦＦの状態にし、オペレータが手操作により、シート原稿の入れ替えが行われる。
以下、このＭＦＤＳにおけるページめくり読取ユニット１の操作制御について説明する。
第５１図に、このＭＦＤＳにおけるページめくり読取ユニット１の操作制御回路を示す。
この操作制御回路は、ページめくり読取ユニット１の往復駆動制御、及び、その速度制御を行っており、めくりユニット駆動制御ボード３１２に組み込まれている。
第５１図において、マイクロコンピュータ５２０（以下、単にマイコンという）は、このＭＦＤＳのモード制御、及び、シーケンス制御も行っている（詳細は図示せず）。
このようなマイコン５２０としては、例えば、μＰＤ７１０５４Ｇによるプログラマブルインターバルタイマ５２１（以下、単にタイマという）が接続されている。
このタイマ５２１は、マイコン５２０の制御により、めくりユニット駆動モータ６０（直流モ−夕）の速度制御を行うためのパルス幅変調ＰＷＭ出力を送出するためのものである。
【０１２７】
このＰＷＭ制御の周期は、５０（μｓｅｃ）であり、これを４００ビットの分解能で制御する。
このタイマ５２１には、８ＭＨｚの発振器５２２が接続され、クロック信号が与えられるように構成されている。
また、めくりユニット駆動モータ６０は、マイコン５２０に対し、駆動用トランジスタＱ１〜Ｑ４を介して接続されている。
すなわち、トランシスタＱ１，Ｑ２がＯＮでトランジスタＱ２，Ｑ３がＯＦＦの状態で、めくりユニット駆動モータ６０には、時計方向（ＣＷ）に回転する電流が供給され、トランジスタＱ２，Ｑ３がＯＮで、トランジスタＱ１，Ｑ４がＯＦＦの状態で、めくりユニット駆動モータ６０には、反時計方向（ＣＣＷ）に回転する電流が供給される。
ここで、めくりユニット駆動モータ６０が、時計方向（ＣＷ）に回転すると、ページめくり読取ユニット１は往動され、めくりユニット駆動モータ６０が、反時計方向（ＣＣＷ）に回転すると、ページめくり読取ユニット１は腹動されるように設定されている。
このめくりユニット駆動モーク６０の回転方向は、マイコン５２０のポートＰＦ６，ＰＦ７からそれぞれ出力されるＣＷ信号、及び、ＣＣＷ信号により制御される。
【０１２８】
また、めくりローラ２には、その回転に従ってパルスを発生させるエンコーダ１５２が直結されている。
ここで、このエンコーダ１５２は、めくりユニット駆動モータ６０の回転量、及び、回転方向に応じて、位相の異なる２つのパルス信号を発生する。
１つは、Ａ相エンコーダパルスＥＮＣＡであり、他の１つは、Ｂ相エンコーダパルスＥＮＣＢである。
Ａ相エンコーダパルスＥＮＣＡは、分周マルチプレクサ５２４を介して、マイコン５２０のカウンタインプット端子Ｃ１に入力されている。
これにより、マイコン５２０は、Ａ相エンコーダパルスＥＮＣＡのパルス間隔が、マイコン５２０の内部のカウンタ（マイコン５２０の発振器５２５の発振周波数１ＯＭＨｚにより規制される）によって計測される。
また、このカウンタインプット端子Ｃ１への入力信号は、割込み入力となっており、割込みプログラムの処理中に、Ａ相エンコーダパルスＥＮＣＡのパルス間隔の測定データの値を読み、このデータに基づいて、めくりユニット駆動モー夕６０の回転数の算出、比例・積分制御演算によるモータ制御量の算出、並びに、出力（タイマ５２１へのデータロード）等が行われる。
【０１２９】
具体的には、Ａ相エンコーダパルスＥＮＣＡの出力を目標速度に応じて分周マルチプレクサ５２４により、１，２，４，８分周することにより、カウンタインプット端子Ｃ１に割込み入力信号が与えられている。
ここで、１分周時には、第１読み取りセンサユニット９が、エンコーダ１５２のｌパルスによって、０．１１６ｍｍ移動することにより、その速度が割込み間隔によりマイコン５２０の内部で演算される。
そして、この算出された速度データに基づいて比例・積分演算処理により、出力タイマ値が決定される。
また、Ａ相エンコーダパルスＥＮＣＡ、及び、Ｂ相エンコーダパルスＥＮＣＢは、フリップフロップ５２６を介して、マイコン５２０の入力端子ＰＣ３に入力され、両者間の位相差検知に供されて、その位相差によりめくりユニット駆動モータ６０の回転方向が決定される。
つまり、Ａ相エンコーダパルスＥＮＣＡの立上り時における、Ｂ相エンコーダパルスＥＮＣＢの状態がマイコン５２０のポートに入力されることによって、めくりユニット駆動モータ６０の回転方向が判断される。
【０１３０】
次に、めくりユニット駆動モータ６０の速度制御について説明する。
このめくりユニット駆動モータ６Ｏの速度制御はＰＷＭ制御によって行われる。
【０１３１】
先ず、ページめくり読取ユニット１のスキャナ走査時、すなわち、めくりユニット駆動モータ６０の時計方向への回転時には、トランジスタＱ１をＯＮさせる一方、タイマ５２１からのＰＷＭ出力により、ゲート５２７を介して、トランジスタＱ４をＯＮ／ＯＦＦさせ、めくりユニット駆動モータ６０の両端子間に電位差を生じさせて、ＰＷＭ信号のデューティ比に応じた速度でこのめくりユニット駆動モータ６０を回転させる。
一方、ページめくり読取ユニット１のリターン時には、上述の場合と逆に、トランシスタＱ３をＯＮさせるとともに、タイマ５２１からのＰＷＭ出力により、ゲート回路５２８を介して、トランジスタＱ２をＯＮ／ＯＦＦさせ、めくりユニット駆動モータ６０の両端子間に逆向きの電位差を生じさせて、ＰＷＭ信号のデュ一ティ比に応じた速度でこのめくりユニット駆動モータ６０を回転さ
せる。
【０１３２】
【発明の効果】
本発明によれば、ブック原稿を読み取って読み取り頁の画像を形成し、ブック原稿の頁をめくるブック原稿の読み取り装置において、見開きブック原稿の画像形成開始頁として左頁と右頁のいずれかを指示する頁入力手段と、見開きブック原稿を読み取って前記頁入力手段により指示された画像形成開始頁から読み取り画像を形成する画像形成手段とを備えたので、ブック原稿の頁の配置や章の配置によらずにブック原稿を所望の頁から複写することができる。
【図面の簡単な説明】
【図１】本発明を実施したマルチ・ファンクション・ドキュメント・スキャナ（ＭＦＤＳ）の概略断面図である。
【図２】上記ＭＦＤＳの駆動系の概略横断面図である。
【図３】上記ＭＦＤＳの駆動系の概略平面図である。
【図４】上記ＭＦＤＳにおけるページめくり読取ユニットの端部の斜視図である。
【図５】上記ページめくり読取ユニットを構成するローラの支持構造を示すローラ端部の断面図である。
【図６】第  上記ＭＦＤＳにおける搬送部ロック装置のロック解除態様を示す側面図である。
【図７】上記搬送部ロック装置のロック開始作動態様を示す側面図である。
【図８】上記搬送部ロック装置のロック完了態様を示す側面図である。
【図９】上記ＭＦＤＳが搭載されたプリン夕の外観を示す斜視図である。
【図１０】上記ＭＦＤＳが搭載されたプリンタの搬送部開放時の外観を示す斜視図である。
【図１１】上記ページめくり読取ユニット内に配設された第１読み取りセンサユニットの端部付近の斜視図である。
【図１２】上記第１読み取りセンサコニットの端部付近の側面図である。
【図１３】上記第１読み取りセンサユニットの端部の支持構造を示す部分拡大断面図である。
【図１４】上記ページめくり読取ユニットのめくりローラ２の奥側の側面図である。
【図１５】上記ＭＦＤＳにおける原稿載置面の中央基準位置決め部の構造を示す断面図である。
【図１６】上記ＭＦＤＳにおける操作表示ボードの平面図である。
【図１７】上記プリンタの概略断面図である。
【図１８】上記プリンタの書込部の平面図である。
【図１９】上記プリンタの転写紙搬送経路を切り換える切換爪の作動態様図である。
【図２０】上記ペーシめくり読取ユニットの概略断面図である。
【図２１】上記第１読み取りセンサユニットの構成を示す断面図である。
【図２２】上記ＭＦＤＳの作動態様を示す概略断面図である。
【図２３】上記ＭＦＤＳにおけるめくり搬送ベルトの説明図である。
【図２４】上記めくり搬送ベルトのページめくり動作を示す部分斜視図である。
【図２５】上記めくり搬送ベルトの搬送力のピッチ特性を示す線図である。
【図２６】上記めくり搬送ベルトの吸着力のピッチ特性を示す線図である。
【図２７】上記めくり搬送ベルトの搬送力の印加電圧特性を示す線図である。
【図２８】上記めくり搬送ベルトの吸着力の印加電圧特性を示す線図である。
【図２９】上記ＭＦＤＳの電装ブロック図である。
【図３０】上記ＭＦＤＳのブック原稿読み取りモード動作時のモード遷移図である。
【図３１】上記ＭＦＤＳのシート原稿読み取りモード動作時のモード遷移図である。
【図３２】上記各モードの切り換え動作を示すフローチャートである。
【図３３】上記ブック原稿読み取りモードの動作を示すフローチャートである。
【図３４】ブック原稿読み取りモードにおける見開き２ページ連続読み取りモードの動作を示すタイミングチャートである。
【図３５】ブック原稿読み取りモードにおける見開き１ページ区切り読み取りモードの動作を示すタイミングチャートである。
【図３６】上記見開き１ページ区切り読み取りモードにおいてブック原稿の右ページから読み取るようにセットした場合の動作を示すタイミングチャートである。
【図３７】上記見開き１ページ区切り読み取りモードにおいて読み取られたデータの転送タイミングを遅延させる回路のブロック図である。
【図３８】上記見開き１ページ区切り読み取りモードにおいて読み取られたデータの転送タイミングを遅延させる回路の動作を示すタイミングチャートである。
【図３９】上記見開き１ページ区切り読み取りモードにおける両面モードの動作を示すタイミングチャートである。
【図４０】上記シート原稿読み取りモードにおけるシート原稿スルーモードの切り換え動作を示すフローチャートである。
【図４１】上記シート原稿スルーモードにおける片面読み取りモードの動作を示すフローチャートである。
【図４２】上記片面読み取りモードの動作を示すタイミングチャートである。
【図４３】上記シート原稿スルーモードにおける同一位置読み取りモードの動作を示すフローチャートである。
【図４４】上記同一位置読み取りモードの動作を示すタイミングチャートである。
【図４５】上記シート原稿スルーモードにおける別位置読み取りモードの動作を示すフローチャートである。
【図４６】上記別位置読み取りモードの動作を示すタイミングチャートである。
【図４７】上記シート原稿読み取りモードにおけるシート原稿スキャンモードの動作を示すフローチャートである。
【図４８】上記シート原稿スキャンモードの動作を示すタイミングチャートである。
【図４９】上記シート原稿読み取りモードにおけるシート原稿手動開閉モードの動作を示すフローチャートである。
【図５０】上記シート原稿手動開閉モードの動作を示すタイミングチャートである。
【図５１】上記ページめくり読取ユニットの走査制御回路図である。
【符号の説明】
Ａ…マルチ・ファンクション・ドキュメント・スキャナ（ＭＦＤＳ）
１…ページめくり読取ユニット
１−Ａ…ホームポジション位置
１−Ｃ…エンドポジション位置
８…めくり搬送ベルト
９…めくり搬送ベルト、
１４…第２読み取りセンサユニット
２４…中央基準位置決め部
５２…めくりユニット駆動ベルト
６０…めくりユニット駆動モータ
６１…めくり搬送ベルト駆動モータ
９２…ブック原稿
２００…シート原稿、
３００…プリンタ
３１０…メイン制御ボード
１１…めくり搬送ベルト駆動制御ボード
３１２…めくりユニット駆動制御ボード
１３…操作表示ボード
３１４…第１画像処理ボード
３１７…第２画像処理ボード
【図１】
0003562765.tif 000003
【図２】
0003562765.tif 000004
【図３】
0003562765.tif 000005
【図４】
0003562765.tif 000006
【図５】
0003562765.tif 000007
【図６】
0003562765.tif 000008
【図７】
0003562765.tif 000009
【図８】
0003562765.tif 000010
【図９】
0003562765.tif 000011
【図１０】
0003562765.tif 000012
【図１１】
0003562765.tif 000013
【図１２】
0003562765.tif 000014
【図１３】
0003562765.tif 000015
【図１４】
0003562765.tif 000016
【図１５】
0003562765.tif 000017
【図１６】
0003562765.tif 000018
【図１７】
0003562765.tif 000019
【図１８】
0003562765.tif 000020
【図１９】
0003562765.tif 000021
【図２０】
0003562765.tif 000022
【図２１】
0003562765.tif 000023
【図２２】
0003562765.tif 000024
【図２３】
0003562765.tif 000025
【図２４】
0003562765.tif 000026
【図２５】
0003562765.tif 000027
【図２６】
0003562765.tif 000028
【図２７】
0003562765.tif 000029
【図２８】
0003562765.tif 000030
【図２９】
0003562765.tif 000031
【図３０】
0003562765.tif 000032
【図３１】
0003562765.tif 000033
【図３２】
0003562765.tif 000034
【図３３】
0003562765.tif 000035
【図３４】
0003562765.tif 000036
【図３５】
0003562765.tif 000037
【図３６】
0003562765.tif 000038
【図３７】
0003562765.tif 000039
【図３８】
0003562765.tif 000040
【図３９】
0003562765.tif 000041
【図４０】
0003562765.tif 000042
【図４１】
0003562765.tif 000043
【図４２】
0003562765.tif 000044
【図４３】
0003562765.tif 000045
【図４４】
0003562765.tif 000046
【図４５】
0003562765.tif 000047
【図４６】
0003562765.tif 000048
【図４７】
0003562765.tif 000049
【図４８】
0003562765.tif 000050
【図４９】
0003562765.tif 000051
【図５０】
0003562765.tif 000052
【図５１】
0003562765.tif 000053